(57)【要約】【課題】屋内で明暗差が生じた際にも、その明暗の境界部分での明暗差を緩和することができる照明システムを提供する。【解決手段】屋内を照明する照明システム１であって、平面視で互いに隣接する第１領域Ａと第２領域Ｃとを規定する場合に、第１領域Ａの明るさが、第２領域Ｃの明るさよりも明るい場合において、第２領域Ｃにおける第１領域Ａとの境界に隣接する境界領域Ｂに対し、境界領域Ｂの明るさが、第１領域Ａの明るさと、第２領域Ｃから境界領域Ｂを除いた部分の明るさとの中間の明るさとなる光を照射する。【選択図】図１
2015138759.tif 000002
【特許請求の範囲】
【請求項１】
屋内を照明する照明システムであって、
前記屋内に、平面視で互いに隣接する第１領域と第２領域とを規定する場合において、
前記第１領域及び前記第２領域の明るさに関する情報を取得する情報取得部と、
取得した前記明るさに関する情報に基づいて光量制御された光を照射する照明ユニットと、を備え、
前記照明ユニットは、
前記第１領域の明るさが、前記第２領域の明るさよりも明るい場合において、
前記第２領域における前記第１領域との境界に隣接する境界領域に対し、前記境界領域の明るさが、前記第１領域の明るさと、前記第２領域から前記境界領域を除いた部分の明るさとの中間の明るさとなる光を照射する、
ことを特徴とする照明システム。
【請求項２】
前記屋内には、前記屋内の壁の前にディスプレイが配置されており、
前記ディスプレイと前記壁とを、前記ディスプレイの正面方向から見たときに、
前記第１領域は、前記ディスプレイに相当する領域であり、前記第２領域は、前記ディスプレイに相当する領域を囲む壁に相当する領域の少なくとも一部であることを特徴とする請求項１に記載の照明システム。
【請求項３】
前記照明ユニットは、前記ディスプレイの背面側に設置された間接照明ユニットであり、前記間接照明ユニットからの照射光は、前記ディスプレイの背面から照射され、
前記ディスプレイの正面方向から見たときに、前記照射光は、前記ディスプレイの端部の前記壁への投影線から前記ディスプレイの外方の前記壁に向かって照射されていることを特徴とする請求項２に記載の照明システム。
【請求項４】
前記照明ユニットは、前記屋内の天井に設置され、照射方向と光量とが可変である可動照明ユニットであり、前記可動照明ユニットは、少なくとも前記ディスプレイの上端の前記壁への投影線から上方の前記壁の領域を照射することを特徴とする請求項２に記載の照明システム。
【請求項５】
前記照明ユニットは、前記屋内の天井に設置されたシーリングライトユニットであり、前記シーリングライトユニットは、少なくとも前記ディスプレイの上端の前記壁への投影線から上方の前記壁の領域を配光領域に含むことを特徴とする請求項２に記載の照明システム。
【請求項６】
前記第１領域と前記第２領域とが共に床面に規定されており、前記第１領域に対して、窓から差し込んだ外光により、前記第１領域が前記第２領域よりも明るい場合に、前記照明ユニットは、前記境界領域に光を照射することを特徴とする請求項１に記載の照明システム。
【請求項７】
前記照明ユニットは、前記屋内の天井に設置され、照射方向と光量と照射される領域の幅が可変である可動照明ユニットであることを特徴とする請求項６に記載の照明システム。
【請求項８】
前記第１領域と前記第２領域との境界が時間の経過とともに移動する場合に、前記照明ユニットからの照射領域は、前記境界に追従して移動することを特徴とする請求項７に記載の照明システム。
【請求項９】
屋内を照明する照明システムであって、
前記屋内に、互いに隣接する第１領域と第２領域と、互いに隣接する第３領域と第４領域とを規定する場合において、
前記第１領域及び前記第２領域の明るさに関する情報と、前記第３領域及び前記第４領域の明るさに関する情報とを取得する情報取得部と、
取得した前記明るさに関する情報に基づいて光量制御された光を照射する照明ユニットと、を備え、
前記照明ユニットは、
前記第１領域と前記第２領域との明るさの差が、前記第３領域と前記第４領域との明るさの差以上の場合において、
前記第１領域の明るさが、前記第２領域の明るさより明るい場合には、
前記第２領域における前記第１領域との境界に隣接する第１境界領域に対し、前記第１境界領域の明るさが、前記第１領域の明るさと、前記第２領域から前記第１境界領域を除いた部分の明るさとの中間の明るさとなるような光を照射し、
前記第３領域と前記第４領域との明るさの差が、前記第１領域と前記第２領域との明るさの差より大きい場合において、
前記第３領域の明るさが、前記第４領域の明るさより明るい場合には、
前記第４領域における前記第３領域との境界に隣接する第２境界領域に対し、前記第２境界領域の明るさが、前記第３領域の明るさと、前記第４領域から前記第２境界領域を除いた部分の明るさとの中間の明るさとなるような光を照射する、
ことを特徴とする照明システム。
【発明の詳細な説明】
【技術分野】
【０００１】
本発明は、屋内における照明システムに関する。
【背景技術】
【０００２】
近年、省エネルギーの観点から、白熱電球や蛍光灯を用いた照明装置に代替するものとして、半導体発光素子の一つであるＬＥＤ（Light Emitting Diode）を用いた照明装置が普及してきている。図５３に示すように、この照明装置を用いた従来の照明システム９０１では、ユーザーが、リモコン９２６を操作することにより、屋内における明るさの調整が容易にできる。また、センサを備えて周囲の環境に応じて、或いは、時刻に応じて、自動的に屋内の明るさの制御が可能な照明システムも提案されている。
【先行技術文献】
【特許文献】
【０００３】
【特許文献１】特開２００３−２７２８７８号公報
【特許文献２】特開２００５−７１７６７号公報
【特許文献３】特開２０１１−２３３２９９号公報
【発明の概要】
【発明が解決しようとする課題】
【０００４】
しかしながら、従来の照明システム９０１では、屋内全体としての調光が可能であっても、屋内で明暗差が大きい場合に、それを緩和することができなかった。例えば、屋内にはテレビ等のディスプレイ９０３が発する光や、窓９０７から入ってくる外光がある。テレビ９０３で映画等を鑑賞する際には、屋内全体の明るさを暗くして視聴することが多い。このため、図５４（ａ）に示すように、テレビ９０３を正面から見たときに、テレビ９０３の明るい領域Ａの外側の壁９０８には暗い領域Ｃが生じてしまう。また、特に夏場の夕方においては、強い光が、時間とともに、屋内に徐々に差し込んでくる。このため、図５４（ｂ）に示すように、窓９０７から外光が差し込んできて、床面９１３の明るい領域Ａの先には、その外光が届かない暗い領域Ｃが存在する。しかも、この明暗の境界は、図５４（ｃ）に示すように、時間の経過とともにより屋内の内側に移動してくる。そして、これらの明暗差は、グレア（眩しさ）となって、人間に意識的、または、無意識的にストレスを与えてしまうことがある。また、明暗差を緩和する方法として、明暗差が見えなくなる位に屋内全体を明るくする方法もある。しかしながら、この場合、明暗差は緩和されるが、明るすぎて人間がリラックスできないというデメリットがある。
【０００５】
そこで、本発明は、屋内で明暗差が生じた際にも、その明暗の境界部分での明暗差を緩和し、快適な生活空間をつくり出すことができる照明システムの提供を目的とする。
【課題を解決するための手段】
【０００６】
上記課題を解決するため、本発明の一態様に係る照明システムは、屋内を照明する照明システムであって、前記屋内に、平面視で互いに隣接する第１領域と第２領域とを規定する場合において、前記第１領域及び前記第２領域の明るさに関する情報を取得する情報取得部と、取得した前記明るさに関する情報に基づいて光量制御された光を照射する照明ユニットと、を備え、前記照明ユニットは、前記第１領域の明るさが、前記第２領域の明るさよりも明るい場合において、前記第２領域における前記第１領域との境界に隣接する境界領域に対し、前記境界領域の明るさが、前記第１領域の明るさと、前記第２領域から前記境界領域を除いた部分の明るさとの中間の明るさとなる光を照射する。
【０００７】
また、本発明の別の態様では、前記屋内には、前記屋内の壁の前にディスプレイが配置されており、前記ディスプレイと前記壁とを、前記ディスプレイの正面方向から見たときに、前記第１領域は、前記ディスプレイに相当する領域であり、前記第２領域は、前記ディスプレイに相当する領域を囲む壁に相当する領域の少なくとも一部とすることもできる。
【０００８】
また、本発明の別の態様では、前記照明ユニットは、前記ディスプレイの背面側に設置された間接照明ユニットであり、前記間接照明ユニットからの照射光は、前記ディスプレイの背面から照射され、前記ディスプレイの正面方向から見たときに、前記照射光は、前記ディスプレイの端部の前記壁への投影線から前記ディスプレイの外方の前記壁に向かって照射されていることとすることもできる。
【０００９】
また、本発明の別の態様では、前記照明ユニットは、前記屋内の天井に設置され、照射方向と光量とが可変である可動照明ユニットであり、前記可動照明ユニットは、少なくとも前記ディスプレイの上端の前記壁への投影線から上方の前記壁の領域を照射することもできる。
また、本発明の別の態様では、前記照明ユニットは、前記屋内の天井に設置されたシーリングライトユニットであり、前記シーリングライトユニットは、少なくとも前記ディスプレイの上端の前記壁への投影線から上方の前記壁の領域を配光領域に含むこともできる。
【００１０】
また、本発明の別の態様では、前記第１領域と前記第２領域とが共に床面に規定されており、前記第１領域に対して、窓から差し込んだ外光により、前記第１領域が前記第２領域よりも明るい場合に、前記照明ユニットは、前記境界領域に光を照射することもできる。
また、本発明の別の態様では、前記照明ユニットは、前記屋内の天井に設置され、照射方向と光量と照射される領域の幅が可変である可動照明ユニットとすることもできる。
【００１１】
また、本発明の別の態様では、前記第１領域と前記第２領域との境界が時間の経過とともに移動する場合に、前記照明ユニットからの照射領域は、前記境界に追従して移動することもできる。
また、本発明の別の態様では、屋内を照明する照明システムであって、前記屋内に、互いに隣接する第１領域と第２領域と、互いに隣接する第３領域と第４領域とを規定する場合において、前記第１領域及び前記第２領域の明るさに関する情報と、前記第３領域及び前記第４領域の明るさに関する情報とを取得する情報取得部と、取得した前記明るさに関する情報に基づいて光量制御された光を照射する照明ユニットと、を備え、前記照明ユニットは、前記第１領域と前記第２領域との明るさの差が、前記第３領域と前記第４領域との明るさの差以上の場合において、前記第１領域の明るさが、前記第２領域の明るさより明るい場合には、前記第２領域における前記第１領域との境界に隣接する第１境界領域に対し、前記第１境界領域の明るさが、前記第１領域の明るさと、前記第２領域から前記第１境界領域を除いた部分の明るさとの中間の明るさとなるような光を照射し、前記第３領域と前記第４領域との明るさの差が、前記第１領域と前記第２領域との明るさの差より大きい場合において、前記第３領域の明るさが、前記第４領域の明るさより明るい場合には、前記第４領域における前記第３領域との境界に隣接する第２境界領域に対し、前記第２境界領域の明るさが、前記第３領域の明るさと、前記第４領域から前記第２境界領域を除いた部分の明るさとの中間の明るさとなるような光を照射することもできる。
【発明の効果】
【００１２】
本発明の一態様に係る照明システムでは、屋内で明暗差が発生した場合には、その明暗差を緩和するような光を、第２領域における第１領域との境界に隣接する境界領域に照射する。これにより、明暗差が緩和され、屋内全体を明暗差が見えなくなる位に明るくする場合に比べて、人間がストレスを感じにくい、より快適な生活空間をつくり出すことが可能となる。
【００１３】
従って、本発明の一態様に係る照明システムによれば、屋内で明暗差が生じた際にも、その明暗の境界部分での明暗差を緩和し、快適な生活空間をつくり出すことができる。
【図面の簡単な説明】
【００１４】
【図１】実施の形態１に係る照明システムでテレビ３を照らしたときの模式図である。
【図２】（ａ）は、実施例１の照明システム１を説明するための模式図である。（ｂ）は、実施例１の照明システム１を説明するためのフローチャートである。
【図３】（ａ）は、実施例２の照明システム１１を説明するための模式図である。（ｂ）は、実施例２の照明システム１１を説明するためのフローチャートである。
【図４】（ａ）は、可動照明ユニット１２の構造を説明するための断面図である。（ｂ）は、可動照明ユニット１２の照射方向を変えた時の状態を説明するための断面図である。（ｃ）は、可動照明ユニット１２の照射方向を変えた時の状態を説明するための断面図である。
【図５】（ａ）は、実施例３の照明システム２１を説明するための模式図である。（ｂ）は、実施例３の照明システム２１を説明するためのフローチャートである。
【図６】（ａ）は、実施例４の照明システム３１を説明するための模式図である。（ｂ）は、実施例４の照明システム３１を説明するためのフローチャートである。
【図７】（ａ）は、実施例５の照明システム４１を説明するための模式図である。（ｂ）は、実施例５の照明システム４１を説明するためのフローチャートである。
【図８】（ａ）は、実施例６の照明システム５１を説明するための模式図である。（ｂ）は、実施例６の照明システム５１を説明するためのフローチャートである。
【図９】（ａ）は、実施例７の照明システム６１を説明するための模式図である。（ｂ）は、実施例７の照明システム６１を説明するためのフローチャートである。
【図１０】（ａ）は、実施例８の照明システム７１を説明するための模式図である。（ｂ）は、実施例８の照明システム７１を説明するためのフローチャートである。
【図１１】（ａ）は、実施例９の照明システム８１を説明するための模式図である。（ｂ）は、実施例９の照明システム８１を説明するためのフローチャートである。
【図１２】時間と、輝度または照度との関係を示すグラフである。
【図１３】（ａ）は、実施例１０の照明システム９１を説明するための模式図である。（ｂ）は、実施例１０の照明システム９１を説明するためのフローチャートである。
【図１４】（ａ）は、実施例１１の照明システム１０１を説明するための模式図である。（ｂ）は、実施例１１の照明システム１０１を説明するためのフローチャートである。
【図１５】（ａ）は、実施例１２の照明システム１１１を説明するための模式図である。（ｂ）は、実施例１２の照明システム１１１を説明するためのフローチャートである。
【図１６】（ａ）は、実施例１３の照明システム１２１を説明するための模式図である。（ｂ）は、実施例１３の照明システム１２１を説明するためのフローチャートである。
【図１７】（ａ）は、実施例１４の照明システム１３１を説明するための模式図である。（ｂ）は、実施例１４の照明システム１３１を説明するためのフローチャートである。
【図１８】（ａ）は、実施例１５の照明システム１４１を説明するための模式図である。（ｂ）は、実施例１５の照明システム１４１を説明するためのフローチャートである。
【図１９】（ａ）は、実施例１６の照明システム１５１を説明するための模式図である。（ｂ）は、実施例１６の照明システム１５１を説明するためのフローチャートである。
【図２０】（ａ）は、実施例１７の照明システム１６１を説明するための模式図である。（ｂ）は、実施例１７の照明システム１６１を説明するためのフローチャートである。
【図２１】（ａ）は、実施例１８の照明システム１７１を説明するための模式図である。（ｂ）は、実施例１８の照明システム１７１を説明するためのフローチャートである。
【図２２】（ａ）は、実施例１９の照明システム１８１を説明するための模式図である。（ｂ）は、実施例１９の照明システム１８１を説明するためのフローチャートである。
【図２３】（ａ）は、実施例２０の照明システム１９１を説明するための模式図である。（ｂ）は、実施例２０の照明システム１９１を説明するためのフローチャートである。
【図２４】（ａ）は、実施例２１の照明システム２０１を説明するための模式図である。（ｂ）は、実施例２１の照明システム２０１を説明するためのフローチャートである。
【図２５】（ａ）は、実施例２２の照明システム２１１を説明するための模式図である。（ｂ）は、実施例２２の照明システム２１１を説明するためのフローチャートである。
【図２６】（ａ）は、実施例２３の照明システム２２１を説明するための模式図である。（ｂ）は、実施例２３の照明システム２２１を説明するためのフローチャートである。
【図２７】（ａ）は、実施例２４の照明システム２３１を説明するための模式図である。（ｂ）は、実施例２４の照明システム２３１を説明するためのフローチャートである。
【図２８】（ａ）は、実施例２５の照明システム２４１を説明するための模式図である。（ｂ）は、実施例２５の照明システム２４１を説明するためのフローチャートである。
【図２９】（ａ）は、実施例２６の照明システム２５１を説明するための模式図である。（ｂ）は、実施例２６の照明システム２５１を説明するためのフローチャートである。
【図３０】（ａ）は、実施例２７の照明システム２６１を説明するための模式図である。（ｂ）は、実施例２７の照明システム２６１を説明するためのフローチャートである。
【図３１】（ａ）は、実施例２８の照明システム２７１を説明するための模式図である。（ｂ）は、実施例２８の照明システム２７１を説明するためのフローチャートである。
【図３２】（ａ）は、実施例２９の照明システム２８１を説明するための模式図である。（ｂ）は、実施例２９の照明システム２８１を説明するためのフローチャートである。
【図３３】（ａ）は、実施例３０の照明システム２９１を説明するための模式図である。（ｂ）は、実施例３０の照明システム２９１を説明するためのフローチャートである。
【図３４】（ａ）は、実施の形態２に係る照明システムで床面１３を照らしたときの模式図である。（ｂ）は、（ａ）から一定時間経過後における、実施の形態２に係る照明システムで床面１３を照らしたときの模式図である。
【図３５】（ａ）は、実施例３１の照明システム３０１を説明するための模式図である。（ｂ）は、実施例３１の照明システム３０１を説明するためのフローチャートである。
【図３６】（ａ）は、可動照明ユニット１１２の構造を説明するための断面図である。（ｂ）は、可動照明ユニット１１２の照射方向を変えた時の状態を説明するための断面図である。（ｃ）は、可動照明ユニット１１２の照射方向を変えた時の状態を説明するための断面図である。
【図３７】（ａ）は、可動照明ユニット１１２の構造を説明するための拡大断面図である。（ｂ）は、可動照明ユニット１１２の配光領域を変えた時の状態を説明するための拡大断面図である。（ｃ）は、可動照明ユニット１１２の配光領域を変えた時の状態を説明するための拡大断面図である。
【図３８】（ａ）は、実施例３２の照明システム３１１を説明するための模式図である。（ｂ）は、実施例３２の照明システム３１１を説明するためのフローチャートである。
【図３９】（ａ）は、実施例３３の照明システム３２１を説明するための模式図である。（ｂ）は、実施例３３の照明システム３２１を説明するためのフローチャートである。
【図４０】（ａ）は、実施例３４の照明システム３３１を説明するための模式図である。（ｂ）は、実施例３４の照明システム３３１を説明するためのフローチャートである。
【図４１】（ａ）は、実施例３５の照明システム３４１を説明するための模式図である。（ｂ）は、実施例３５の照明システム３４１を説明するためのフローチャートである。
【図４２】（ａ）は、実施例３６の照明システム３５１を説明するための模式図である。（ｂ）は、実施例３６の照明システム３５１を説明するためのフローチャートである。
【図４３】（ａ）は、実施例３７の照明システム３６１を説明するための模式図である。（ｂ）は、実施例３７の照明システム３６１を説明するためのフローチャートである。
【図４４】（ａ）は、実施例３８の照明システム３７１を説明するための模式図である。（ｂ）は、実施例３８の照明システム３７１を説明するためのフローチャートである。
【図４５】（ａ）は、実施例３９の照明システム３８１を説明するための模式図である。（ｂ）は、実施例３９の照明システム３８１を説明するためのフローチャートである。
【図４６】（ａ）は、実施例４０の照明システム３９１を説明するための模式図である。（ｂ）は、実施例４０の照明システム３９１を説明するためのフローチャートである。
【図４７】（ａ）は、実施例４１の照明システム４０１を説明するための模式図である。（ｂ）は、実施例４１の照明システム４０１及び実施例４２の照明システム４１１を説明するためのフローチャートである。
【図４８】実施例４２の照明システム４１１を説明するための模式図である。
【図４９】（ａ）は、実施例４３の照明システム４２１を説明するための模式図である。（ｂ）は、実施例４３の照明システム４２１を説明するためのフローチャートである。
【図５０】実施の形態４に係る照明システムで壁１０を照らしたときの模式図である。
【図５１】（ａ）は、実施例４４の照明システム４３１を説明するための模式図である。（ｂ）は、実施例４４の照明システム４３１を説明するためのフローチャートである。
【図５２】（ａ）は、実施例４５の照明システム４４１を説明するための模式図である。（ｂ）は、実施例４５の照明システム４４１を説明するためのフローチャートである。
【図５３】従来技術に係る照明システム９０１を示す模式図である。
【図５４】（ａ）は、テレビ９０３とその周りの様子を示す従来技術に係る模式図である。（ｂ）は、窓９０７から差し込んできた外光による床面９１３の様子を示す従来技術に係る模式図である。（ｃ）は、（ｂ）から一定時間経過後における、窓９０７から差し込んできた外光による床面９１３の様子を示す従来技術に係る模式図である。
【発明を実施するための形態】
【００１５】
本発明を実施するための形態を、図面を参照して詳細に説明する。
＜実施の形態１＞
図１は、実施の形態１に係る照明システムを動作させたときの模式図である。実施の形態１では、屋内で明暗差を発生させる要因はテレビ３であるとする。そして、図１に示すように、テレビ９０３を正面から見たときに、テレビ３の明るい領域Ａと、その外側の壁８の暗い領域Ｃとの間に、明るい領域Ａの明るさと暗い領域Ｃの明るさの中間の明るさの境界領域Ｂを発生させる。これにより明暗差が緩和される。実施の形態１では、このようにテレビ３に起因する明暗差の緩和を実現するための各システムについて説明する。尚、以下のすべての実施例において、領域Ａ（第１領域）の明るさは、領域Ｃ（第２領域）の明るさよりも明るいとする。
【００１６】
（実施例１）
１．構成
図２（ａ）は、実施例１の照明システム１を示す。照明システム１は、間接照明ユニット２と、電流検出部５と、信号線６を備える。間接照明ユニット２は、上方斜め後方に光を照射するＬＥＤ光源（不図示）と、下方斜め後方に光を照射するＬＥＤ光源（不図示）とを有する。また、間接照明ユニット２は、手前側斜め後方に光を照射するＬＥＤ光源（不図示）と、奥側斜め後方に光を照射するＬＥＤ光源（不図示）とも有する。間接照明ユニット２は、テレビ３の背面側の壁８に設置されている。電流検出部５は、テレビ３の電源が入り、テレビ３の電源線４を流れる電流を検出する。信号線６は、電流を検出した信号を間接照明ユニット２に送る。実施例１ではテレビ３の表示画面３ａは、テレビ３の最大輝度Ｌ１で点灯しているとする。よって、電流検出部５で電流が検出された際には、テレビ３の表示画面３ａの輝度はＬ１になっていることになる。即ち、電流検出部５は、テレビ３の明るさに関する情報を取得する情報取得部を構成している。
【００１７】
また、照明システム１では、ユーザーが、テレビ３の電源を入れる前に、マニュアルで（ダイヤルやボタン等で）部屋の明るさをプリセットする。これにより、照明システム１は、明るい領域Ａの明るさに関する情報だけでなく、暗い領域Ｃの明るさに関する情報も取得している。実施例２〜１５についても同様とする。
【００１８】
２．動作
図２（ｂ）は、照明システム１の動作の流れを表すフローチャートを示す。ステップＳ１でテレビ３の電源が入ると、ステップＳ２では、電流検出部５でテレビ３に流れる電流を検出する。そして、ステップＳ３では、間接照明ユニット２の電源が入る。その後、ステップＳ４では、間接照明ユニット２が、１．構成の欄で述べた４方向に輝度Ｌ１より低い輝度Ｌ２の光を照射する。尚、Ｌ２の値は、ユーザーがマニュアルで変えてもよいし、プリセットしておいてもよい。照明システム１は、暗い領域Ｃの明るさに関する情報も取得しているので、境界領域Ｂの明るさは、その上の領域Ｃの明るさよりも明るくなるように設定されている。尚、間接照明ユニット２からの光は、テレビ３の正面方向から見たときに、テレビ３の端部の壁８への投影線から、テレビ３の外方の壁８に向かって、例えば、１ｍ以上は照射されるようにしておく。
【００１９】
３．効果
これにより、テレビ３の明るい領域Ａとその周りの暗い領域Ｃとの間には、これらの中間の明るさの境界領域Ｂが生ずる（図１参照）。境界領域Ｂの幅は、０．５ｍから１．５ｍ程度とするのがよい。その理由を次に述べる。一般の家庭において、テレビから鑑賞者までの距離は、２ｍから４ｍ程度である。鑑賞者は、テレビから離れて見る程、領域Ａと領域Ｃとの境界が視野の中心にくる。よって、テレビから４ｍ程度、離れた位置からテレビを見る場合に、領域Ａと領域Ｃとの輝度差が最も認識しやすく、ストレスを最も感じやすい。そのため、テレビから４ｍ程度、離れた位置からテレビを見た時に、境界領域Ｂの外側の横方向の長さが３ｍ程度であれば、鑑賞者にとって、輝度差はあまり気にならないと考えられる。一般の家庭で使用されるテレビの横幅が、５０ｃｍから１８０ｃｍであることを勘案すると、横方向の長さが３ｍ程度の境界領域Ｂを発生させるには、境界領域Ｂの幅は、０．５ｍから１．５ｍ程度とするのがよいと考えられるからである。尚、境界領域Ｂの外側の横方向の長さは、テレビ３の横方向の長さに境界領域Ｂの幅を２倍した長さを加えた程度がよい。また、境界領域Ｂの外側の縦方向の長さは、テレビ３の縦方向の長さに境界領域Ｂの幅を２倍した長さを加えた程度としている。よって、領域Ａと領域Ｃとの間の境界での明暗差が緩和される。その結果、映画等を鑑賞する際に、屋内全体の明るさを暗くして視聴しても、目が疲れることなく、快適に見ることができる。また、間接照明ユニット２をテレビ３の背面側に設置するため、照明ユニット自体が目に付くことなく、光だけ取り出せるので、デザイン的にも優れている。
【００２０】
４．その他
実施例２〜６でも、テレビの電源が入っている時のテレビ３の表示画面３ａは、テレビ３の最大輝度Ｌ１で点灯しているとする。以下、実施の形態１の全般につき、同一構成については、同一の符号を使用し、およそ説明は省略する。また、得られる効果が同様の場合についてもおよそその説明を省略する。
【００２１】
（実施例２）
１．構成
図３（ａ）は、実施例２の照明システム１１を示す。構成面において実施例２が、実施例１と違う点は、間接照明ユニット２の代わりに天井９に設けられたＬＥＤ光源を有する可動照明ユニット１２を用いている点である。可動照明ユニット１２は、図４（ａ）のＹ−Ｚ断面図に示すように、ＬＥＤ光源１２０と、筐体１２２と、支軸１２３と、駆動側歯車１２５ａと、従動側歯車１２５ｂと、レンズ１２６と、カバー１２４とから構成される。駆動側歯車１２５ａ及び従動側歯車１２５ｂのそれぞれの軸Ｊ１、Ｊ２は固定されている。カバー１２４は、透光性である。そして、駆動側歯車１２５ａが、例えば、ｒ２方向に回転すると、ＬＥＤ光源１２０の照射方向Ｊは、図４（ｂ）に示すように、右下方向を向く。逆に、駆動側歯車１２５ａが、例えば、ｒ１方向に回転すると、の照射方向Ｊは、図４（ｃ）に示すように、左下方向を向く。このようにして、可動照明ユニット１２の照射方向Ｊと天井とのなす角度θは、０°から１８０°まで変えられる。そして、照明用リモコン１６で、照射方向と光量とを調整可能である。ユーザーが、予め、テレビ３の位置と大きさに応じて、リモコン１６で照射領域を設定しておく。少なくともテレビ３の上端の壁８への投影線から上方に向かって、壁８の１ｍ程度の領域は可動照明ユニット１２からの光が照射されるようにしておく。
【００２２】
２．動作
図３（ｂ）は、照明システム１１の動作の流れを表すフローチャートも示す。ステップＳ１１でテレビ３の電源が入ると、ステップＳ１２では、電流検出部５でテレビ３に流れる電流を検出する。そして、ステップＳ１３では、可動照明ユニット１２の電源が入る。その後、ステップＳ１４で、壁８が、領域Ａの明るさと領域Ｃの明るさの中間の明るさの照度ＬＸとなるような光量で、可動照明ユニット１２から壁８に光を照射する。これにより、テレビ３の明るい領域Ａとその上方の暗い領域Ｃとの間には、これらの中間の明るさの境界領域Ｂが生ずる。尚、ＬＸの値は、ユーザーがマニュアルで変えてもよいし、プリセットしておいてもよい。
【００２３】
３．効果
可動照明ユニット１２は、照明用リモコン１６で照射方向と、光量の調整が可能であるので、テレビ３の大きさや配置場所に応じて、照明光の最適化が行える。
【００２４】
（実施例３）
１．構成
図５（ａ）は、実施例３の照明システム２１を示す。構成面において実施例３が、実施例１と違う点は、間接照明ユニット２の代わりに天井９に設けられたＬＥＤ光源を有するシーリングライトユニット２２を用いている点である。シーリングライトユニット２２は、照明用リモコン２６で、照射の配光領域と光量とを調整可能である。ユーザーが、予め、テレビ３の位置と大きさに応じて、リモコン２６で照射領域を設定しておく。少なくともテレビ３の上端の壁８への投影線から上方に向かって、壁８の１ｍ程度の領域はシーリングライトユニット２２からの光が照射されるようにしておく。つまり、この領域は、シーリングライトユニット２２の配光領域に含んでいる。
【００２５】
２．動作
図５（ｂ）は、照明システム２１の動作の流れを表すフローチャートも示す。ステップＳ２１でテレビの電源が入ると、ステップＳ２２では、電流検出部５でテレビ３に流れる電流を検出する。そして、ステップＳ２３では、シーリングライトユニット２２の電源が入る。その後、ステップＳ２４で、壁８が、領域Ａの明るさと領域Ｃの明るさの中間の明るさの照度ＬＸとなるような光量で、シーリングライトユニット２２から壁８に光を照射する。これにより、テレビ３の表示画面３ａの明るい領域Ａとその上方の暗い領域Ｃとの間には、これらの中間の明るさの境界領域Ｂが生ずる。
【００２６】
３．効果
シーリングライトユニット２２は、屋内全体を照らすことができるので、明暗差の緩和だけでなく、通常の照明用途としても使用することができる。
【００２７】
（実施例４）
１．構成
図６（ａ）は、実施例４の照明システム３１を示す。照明システム３１は、間接照明ユニット２と、信号検出部３５ａと、信号線３５とを備える。信号検出部３５ａは、テレビ３の電源を入れる時のテレビ３のリモコン３６からの赤外線信号を検出する。信号線３５は、検出した赤外線信号を間接照明ユニット２に送る。実施例４でもテレビ３の表示画面３ａは、テレビ３の最大輝度Ｌ１で点灯しているとする。よって、信号検出部３５ａでＯＮ信号である赤外線信号が検出された際には、テレビ３の表示画面３ａの輝度はＬ１になっていることになる。即ち、信号検出部３５ａは、テレビ３の明るさに関する情報を取得する情報取得部を構成している。
【００２８】
２．動作
図６（ｂ）は、照明システム３１の動作の流れを表すフローチャートも示す。フローは、実施例１のステップＳ２をステップＳ３２で置き換えた点を除いて同一である。ステップＳ３２では、テレビ３のリモコン３６からのＯＮ信号を検出する。
【００２９】
３．効果
テレビのリモコン３６が、照明のスイッチも兼ねているので、ユーザーにとって、照明の点灯が、突然の点灯と感じられることなく、違和感のない点灯が得られる。
【００３０】
（実施例５）
１．構成
図７（ａ）は、実施例５の照明システム４１を示す。構成面において実施例５が、実施例４と違う点は、間接照明ユニット２の代わりに天井９に設けられた可動照明ユニット１２を用いている点である。
【００３１】
２．動作
図７（ｂ）は、照明システム４１の動作の流れを表すフローチャートも示す。フローは、実施例２のステップＳ１２をステップＳ４２で置き換えた点を除いて同一である。ステップＳ４２では、テレビ３のリモコン３６からのＯＮ信号を検出する。
【００３２】
（実施例６）
１．構成
図８（ａ）は、実施例６の照明システム５１を示す。構成面において実施例６が、実施例４と違う点は、間接照明ユニット２の代わりに天井９に設けられたシーリングライトユニット２２を用いている点である。
【００３３】
２．動作
図８（ｂ）は、照明システム５１の動作の流れを表すフローチャートも示す。フローは、実施例３のステップＳ２２をステップＳ５２で置き換えた点を除いて同一である。ステップＳ５２では、テレビ３のリモコン３６からのＯＮ信号を検出する。
【００３４】
（実施例７）
１．構成
図９（ａ）は、実施例７の照明システム６１を示す。照明システム６１は、間接照明ユニット２と、信号線６５とを備える。信号線６５は、テレビ３の電源が入った時のテレビ３の表示画面３ａの輝度を検出し、検出した輝度を間接照明ユニット２に送る。テレビ３の端子３ｂは、テレビ３の輝度を出力する端子である。即ち、端子３ｂは、テレビ３の明るさに関する情報を取得する情報取得部を構成している。
【００３５】
２．動作
図９（ｂ）は、照明システム６１の動作の流れを表すフローチャートも示す。ステップＳ６１でテレビ３の電源が入ると、ステップＳ６２でテレビ３の表示画面３ａの輝度を検出する。検出した輝度は、信号線６５で間接照明ユニット２に送られる。そして、ステップＳ６３でタイマーが作動する（ｔ＝０ｓｅｃ）。その後、ステップＳ６４でｔ＝１０ｓｅｃにおけるテレビ３の平均輝度または最大輝度Ｌ１を抽出する。ステップＳ６５で、Ｌ１のいずれかの輝度が、Ｚより大きければ、ステップＳ６６で間接照明ユニット２の電源が入る。Ｚ以下であれば、ステップＳ６２に戻る。ここで、Ｚとは、例えば、テレビ３のスペック上の最大輝度の１／２の値とする。ステップＳ６６の後は、間接照明ユニット２が、実施例１と同様に、輝度Ｌ１よりも低い輝度Ｌ２の光をそれぞれ照射する。その際、境界領域Ｂの明るさは、その周りの領域Ｃの明るさよりも明るくなるように設定されている。尚、Ｌ２の値は、ユーザーがマニュアルで変えてもよいし、プリセットしておいてもよい。その後、ステップＳ６８でｔ＝３０ｍｉｎに達した時、ステップＳ６２に戻る。
【００３６】
３．効果
テレビ３の輝度値を端子３ｂから直接、取り出しているので、テレビ３の輝度を正確に把握することができ、より適切な明るさの光を照射することができる。
【００３７】
４．その他
実施例８〜１５でも、テレビの電源が入っている時の所定時間内の平均輝度または最大輝度を検出し、検出結果に応じて照明ユニットの電源を入れる。
【００３８】
（実施例８）
１．構成
図１０（ａ）は、実施例８の照明システム７１を示す。構成面において実施例８が、実施例７と違う点は、間接照明ユニット２の代わりに天井９に設けられた可動照明ユニット１２を用いている点である。可動照明ユニット１２は、照明用リモコン１６で、照射方向と光量とを調整可能である。ユーザーが、予め、テレビ３の位置と大きさに応じて、リモコン１６で照射領域を設定しておく。少なくともテレビ３の上端の壁８への投影線から上方に向かって、壁８の１ｍ程度の領域は可動照明ユニット１２からの光が照射されるようにしておく。
【００３９】
２．動作
図１０（ｂ）は、照明システム７１の動作の流れを表すフローチャートも示す。ステップＳ７１でテレビ３の電源が入ると、ステップＳ７２でテレビ３の表示画面３ａの輝度を検出する。検出した輝度は、信号線６５で可動照明ユニット１２に送られる。そして、ステップＳ７３でタイマーが作動する（ｔ＝０ｓｅｃ）。その後、ステップＳ７４でｔ＝１０ｓｅｃにおけるテレビ３の平均輝度または最大輝度Ｌ１を抽出する。ステップＳ７５で、Ｌ１のいずれかの輝度が、Ｚより大きければ、ステップＳ７６で可動照明ユニット１２の電源が入る。Ｚ以下であれば、ステップＳ７２に戻る。その後、ステップＳ７７で、壁８が、領域Ａの明るさと領域Ｃの明るさの中間の明るさの照度ＬＸとなるような光量で、可動照明ユニット１２から壁８に光を照射する。尚、ＬＸの値は、ユーザーがマニュアルで変えてもよいし、プリセットしておいてもよい。その後、ステップＳ７８でｔ＝３０ｍｉｎに達した時、ステップＳ７２に戻る。
【００４０】
（実施例９）
１．構成
図１１（ａ）は、実施例９の照明システム８１を示す。構成面において実施例９が、実施例７と違う点は、間接照明ユニット２の代わりに天井９に設けられたシーリングライトユニット２２を用いている点である。シーリングライトユニット２２は、照明用リモコン２６で、照射の配光領域と光量とを調整可能である。ユーザーが、予め、テレビ３の位置と大きさに応じて、リモコン２６で照射領域を設定しておく。少なくともテレビ３の上端の壁８への投影線から上方に向かって、壁８の１ｍ程度の領域はシーリングライトユニット２２からの光が照射されるようにしておく。つまり、この領域は、シーリングライトユニット２２の配光領域に含んでいる。
【００４１】
２．動作
図１１（ｂ）は、照明システム８１の動作の流れを表すフローチャートも示す。ステップＳ８１でテレビ３の電源が入ると、ステップＳ８２でテレビ３の表示画面３ａの輝度を検出する。検出した輝度は、信号線６５でシーリングライトユニット２２に送られる。そして、ステップＳ８３でタイマーが作動する（ｔ＝０ｓｅｃ）。その後、ステップＳ８４でｔ＝１０ｓｅｃにおけるテレビ３の平均輝度または最大輝度Ｌ１を抽出する。ステップＳ８５で、Ｌ１のいずれかの輝度が、Ｚより大きければ、ステップＳ８６でシーリングライトユニット２２の電源が入る。Ｚ以下であれば、ステップＳ８２に戻る。その後、ステップＳ８７で、壁８が、領域Ａの明るさと領域Ｃの明るさの中間の明るさの照度ＬＸとなるような光量で、シーリングライトユニット２２から壁８に光を照射する。尚、ＬＸの値は、ユーザーがマニュアルで変えてもよいし、プリセットしておいてもよい。その後、ステップＳ８８でｔ＝３０ｍｉｎに達した時、ステップＳ８２に戻る。
【００４２】
（実施例１０）
１．構成
図１３（ａ）は、実施例１０の照明システム９１を示す。照明システム９１は、間接照明ユニット２と、輝度計６６と、信号線６５とを備える。輝度計６６は、テレビ３の前面側に固定され、テレビ３の表示画面３ａの１点の輝度を測定する。信号線６５は、検出した輝度情報を間接照明ユニット２に送る。
【００４３】
２．動作
図１３（ｂ）は、照明システム９１の動作の流れを表すフローチャートも示す。フローは、実施例７のステップＳ６２がステップＳ９２に置き換わった点を除いて同一である。ステップＳ９２では、輝度計６６でテレビ３の表示画面３ａの１点の輝度を検出する。
【００４４】
３．効果
テレビ３の輝度を輝度計６６で直接、測定しているので、テレビ３の輝度を正確に把握することができ、より適切な明るさの光を照射することができる。
【００４５】
（実施例１１）
１．構成
図１４（ａ）は、実施例１１の照明システム１０１を示す。構成面において実施例１１が、実施例１０と違う点は、間接照明ユニット２の代わりに天井９に設けられた可動照明ユニット１２を用いている点である。
【００４６】
２．動作
図１４（ｂ）は、照明システム１０１の動作の流れを表すフローチャートも示す。フローは、実施例８のステップＳ７２がステップＳ１０２に置き換わった点を除いて同一である。ステップＳ１０２では、輝度計６６でテレビ３の表示画面３ａの１点の輝度を検出する。
【００４７】
（実施例１２）
１．構成
図１５（ａ）は、実施例１２の照明システム１１１を示す。構成面において実施例１２が、実施例１０と違う点は、間接照明ユニット２の代わりに天井９に設けられたシーリングライトユニット２２を用いている点である。
【００４８】
２．動作
図１５（ｂ）は、照明システム１１１の動作の流れを表すフローチャートも示す。フローは、実施例９のステップＳ８２がステップＳ１１２に置き換わった点を除いて同一である。ステップＳ１１２では、輝度計６６でテレビ３の表示画面３ａの１点の輝度を検出する。
【００４９】
（実施例１３）
１．構成
図１６（ａ）は、実施例１３の照明システム１２１を示す。照明システム１２１は、間接照明ユニット２と、輝度計６７と、信号線６５とを備える。輝度計６７は、テレビ３の前面側に固定され、テレビ３の表示画面３ａの一定の角度範囲内の平均輝度を測定する。信号線６５は、検出した輝度情報を間接照明ユニット２に送る。
【００５０】
２．動作
図１６（ｂ）は、照明システム１２１の動作の流れを表すフローチャートも示す。フローは、実施例１０のステップＳ９２がステップＳ１２２に置き換わった点を除いて同一である。ステップＳ１２２では、輝度計６７でテレビ３の表示画面３ａの一定の角度範囲内の平均輝度を検出する。
【００５１】
３．効果
テレビ３の輝度を輝度計６７で、一定の角度範囲内で直接、測定しているので、テレビ３の輝度をより正確に把握することができ、より一層、適切な明るさの光を照射することができる。
【００５２】
（実施例１４）
１．構成
図１７（ａ）は、実施例１４の照明システム１３１を示す。構成面において実施例１４が、実施例１３と違う点は、間接照明ユニット２の代わりに天井９に設けられた可動照明ユニット１２を用いている点である。
【００５３】
２．動作
図１７（ｂ）は、照明システム１３１の動作の流れを表すフローチャートも示す。フローは、実施例１１のステップＳ１０２がステップＳ１３２に置き換わった点を除いて同一である。ステップＳ１３２では、輝度計６７でテレビ３の表示画面３ａの一定の角度範囲内の平均輝度を検出する。
【００５４】
（実施例１５）
１．構成
図１８（ａ）は、実施例１５の照明システム１４１を示す。構成面において実施例１５が実施例１３と違う点は、間接照明ユニット２の代わりに天井９に設けられたシーリングライトユニット２２を用いている点である。
【００５５】
２．動作
図１８（ｂ）は、照明システム１４１の動作の流れを表すフローチャートも示す。フローは、実施例１２のステップＳ１１２がステップＳ１４２に置き換わった点を除いて同一である。ステップＳ１４２では、輝度計６７でテレビ３の表示画面３ａの一定の角度範囲内の平均輝度を検出する。
【００５６】
尚、実施例７〜１５では、輝度Ｌ２や照度ＬＸは、１つの値だけでなく、Ｎ（２以上の整数）段階（Ｎ階調分）に調節可能であってもよい。これにより、ユーザーが好みの明るさを選択することができる。また、図１２に示すように、輝度や照度をある一定時間（例えばｔ１＝３０ｓｅｃ）かけて増加させて所定の輝度Ｌ２や照度ＬＸに達するようにしてもよい。このように、突然、所定の光を照射するのではなく、徐々に照射すれば、人間の目にも優しい。
【００５７】
（実施例１６）
１．構成
図１９（ａ）は、実施例１６の照明システム１５１を示す。照明システム１５１は、間接照明ユニット２と、輝度計６８とを備える。輝度計６８は、テレビ３の背面側の輝度を検出する。実施例１６ではテレビ３の表示画面３ａは、テレビ３の最大輝度Ｌ１で点灯しているとする。
【００５８】
２．動作
図１９（ｂ）は、照明システム１５１の動作の流れを表すフローチャートも示す。ステップＳ１５１でテレビ３の電源が入ると、ステップＳ１５２でテレビ３の背面側の輝度Ｌ２を検出する。そして、ステップＳ１５３で、例えば、Ｌ２がＬ１より小さくなったとする。すると、ステップＳ１５４で間接照明ユニット２の電源が入る。その後、間接照明ユニット２が、輝度Ｌ１よりも低く、輝度Ｌ２よりも高い輝度Ｌ３の光を４方向にそれぞれ照射する。尚、Ｌ３の値は、ユーザーがマニュアルで変えてもよいし、プリセットしておいてもよい。ステップＳ１５３でＬ２がＬ１以上の場合は、ステップＳ１５２に戻る。
【００５９】
３．効果
テレビ３の背面側の輝度を測定しているので、壁８側の暗さに関する情報をより正確に把握することができ、より適切な明るさの光を照射することができる。
【００６０】
４．その他
実施例１７〜２４でも、テレビの電源が入っている時のテレビ３の表示画面３ａは、テレビ３の最大輝度Ｌ１で点灯しているとする。
【００６１】
（実施例１７）
１．構成
図２０（ａ）は、実施例１７の照明システム１６１を示す。構成面において実施例１７が、実施例１６と違う点は、間接照明ユニット２の代わりに天井９に設けられた可動照明ユニット１２を用いている点である。可動照明ユニット１２は、照明用リモコン１６で、照射方向と光量とを調整可能である。ユーザーが、予め、テレビ３の位置と大きさに応じて、リモコン１６で照射領域を設定しておく。少なくともテレビ３の上端の壁８への投影線から上方に向かって、壁８の１ｍ程度の領域は可動照明ユニット１２からの光が照射されるようにしておく。
【００６２】
２．動作
図２０（ｂ）は、照明システム１６１の動作の流れを表すフローチャートも示す。ステップＳ１６１でテレビ３の電源が入ると、ステップＳ１６２でテレビ３の背面側の輝度Ｌ２を検出する。そして、ステップＳ１６３で、例えば、Ｌ２がＬ１より小さくなったとする。すると、ステップＳ１６４で可動照明ユニット１２の電源が入る。その後、ステップＳ１６５で、壁８が、領域Ａの明るさと領域Ｃの明るさの中間の明るさの照度ＬＸとなるような光量で、可動照明ユニット１２から壁８に光を照射する。尚、ＬＸの値は、ユーザーがマニュアルで変えてもよいし、プリセットしておいてもよい。ステップＳ１６３でＬ２がＬ１以上の場合は、ステップＳ１６２に戻る。
【００６３】
（実施例１８）
１．構成
図２１（ａ）は、実施例１８の照明システム１７１を示す。構成面において実施例１８が、実施例１６と違う点は、間接照明ユニット２の代わりに天井９に設けられたシーリングライトユニット２２を用いている点である。シーリングライトユニット２２は、照明用リモコン２６で、照射の配光領域と光量とを調整可能である。ユーザーが、予め、テレビ３の位置と大きさに応じて、リモコン２６で照射領域を設定しておく。少なくともテレビ３の上端の壁８への投影線から上方に向かって、壁８の１ｍ程度の領域はシーリングライトユニット２２からの光が照射されるようにしておく。つまり、この領域は、シーリングライトユニット２２の配光領域に含んでいる。
【００６４】
２．動作
図２１（ｂ）は、照明システム１７１の動作の流れを表すフローチャートも示す。ステップＳ１７１でテレビ３の電源が入ると、ステップＳ１７２でテレビ３の背面側の輝度Ｌ２を検出する。そして、ステップＳ１７３で、例えば、Ｌ２がＬ１より小さくなったとする。すると、ステップＳ１７４でシーリングライトユニット２２の電源が入る。ステップＳ１７５で、壁８が、領域Ａの明るさと領域Ｃの明るさの中間の明るさの照度ＬＸとなるような光量で、シーリングライトユニット２２から壁８に光を照射する。尚、ＬＸの値は、ユーザーがマニュアルで変えてもよいし、プリセットしておいてもよい。ステップＳ１７３でＬ２がＬ１以上の場合は、ステップＳ１７２に戻る。
【００６５】
（実施例１９）
１．構成
図２２（ａ）は、実施例１９の照明システム１８１を示す。構成面において実施例１９が、実施例１６と違う点は、テレビ３の背面側の輝度を検出する輝度計６８の代わりに、テレビ３の斜め上方の天井９に輝度計６９が設置されている点である。この輝度計６９は、テレビ３の上端の壁８への投影線から上方に向かって、例えば５０ｃｍの地点の輝度Ｌ２を検出するように設定しておく。
【００６６】
２．動作
図２２（ｂ）は、照明システム１８１の動作の流れを表すフローチャートも示す。フローは、実施例１６のステップＳ１５２がステップＳ１８２に置き換わった点を除いて同一である。ステップＳ１８２では、輝度計６９でテレビ３の上端の壁８への投影線から上方に向かって、例えば５０ｃｍの地点の輝度Ｌ２を検出する。
【００６７】
３．効果
輝度計６９が天井に設置されているので、屋内で輝度計が邪魔になることがない。
【００６８】
（実施例２０）
１．構成
図２３（ａ）は、実施例２０の照明システム１９１を示す。構成面において実施例２０が、実施例１９と違う点は、間接照明ユニット２の代わりに天井９に設けられた可動照明ユニット１２を用いている点である。可動照明ユニット１２は、照明用リモコン１６で、照射方向と光量とを調整可能である。ユーザーが、予め、テレビ３の位置と大きさに応じて、リモコン１６で照射領域を設定しておく。少なくともテレビ３の上端の壁８への投影線から上方に向かって、壁８の１ｍ程度の領域は可動照明ユニット１２からの光が照射されるようにしておく。
【００６９】
２．動作
図２３（ｂ）は、照明システム１９１の動作の流れを表すフローチャートも示す。フローは、実施例１７のステップＳ１６２がステップＳ１９２に置き換わった点を除いて同一である。ステップＳ１９２では、輝度計６９でテレビ３の上端の壁８への投影線から上方に向かって、例えば５０ｃｍの地点の輝度Ｌ２を検出する。
【００７０】
（実施例２１）
１．構成
図２４（ａ）は、実施例２１の照明システム２０１を示す。構成面において実施例２１が、実施例１９と違う点は、間接照明ユニット２の代わりに天井９に設けられたシーリングライトユニット２２を用いている点である。シーリングライトユニット２２は、照明用リモコン２６で、照射の配光領域と光量とを調整可能である。ユーザーが、予め、テレビ３の位置と大きさに応じて、リモコン２６で照射領域を設定しておく。少なくともテレビ３の上端の壁８への投影線から上方に向かって、壁８の１ｍ程度の領域はシーリングライトユニット２２からの光が照射されるようにしておく。つまり、この領域は、シーリングライトユニット２２の配光領域に含んでいる。
【００７１】
２．動作
図２４（ｂ）は、照明システム２０１の動作の流れを表すフローチャートも示す。フローは、実施例１８のステップＳ１７２がステップＳ２０２に置き換わった点を除いて同一である。ステップＳ２０２では、輝度計６９でテレビ３の上端の壁８への投影線から上方に向かって、例えば５０ｃｍの地点の輝度Ｌ２を検出する。
【００７２】
（実施例２２）
１．構成
図２５（ａ）は、実施例２２の照明システム２１１を示す。構成面において実施例２２が、実施例１９と違う点は、テレビ３の斜め上方の天井９に設置された輝度計７０が、テレビ３の上端の壁８への投影線から上方、例えば５０ｃｍの地点までの平均輝度Ｌ２を検出する点である。
【００７３】
２．動作
図２５（ｂ）は、照明システム２１１の動作の流れを表すフローチャートも示す。フローは、実施例１９のステップＳ１８２がステップＳ２１２に置き換わっている点を除いて同一である。ステップＳ２１２では、輝度計７０でテレビ３の上端の壁８への投影線から上方に向かって、例えば５０ｃｍの地点までの平均輝度Ｌ２を検出する。
【００７４】
３．効果
輝度計７０で、テレビ３の上方の壁８の輝度を、一定角度範囲内で測定しているので、壁８の輝度をより正確に把握することができ、より一層、適切な明るさの光を照射することができる。
【００７５】
（実施例２３）
１．構成
図２６（ａ）は、実施例２３の照明システム２２１を示す。構成面において実施例２３が、実施例２２と違う点は、間接照明ユニット２の代わりに天井９に設けられた可動照明ユニット１２を用いている点である。可動照明ユニット１２は、照明用リモコン１６で、照射の方向と光量とを調整可能である。ユーザーが、予め、テレビ３の位置と大きさに応じて、リモコン１６で照射領域を設定しておく。少なくともテレビ３の上端の壁８への投影線から上方に向かって、壁８の１ｍ程度の領域は可動照明ユニット１２からの光が照射されるようにしておく。
【００７６】
２．動作
図２６（ｂ）は、照明システム２２１の動作の流れを表すフローチャートも示す。フローは、実施例２０のステップＳ１９２がステップＳ２２２に置き換わっている点を除いて同一である。ステップＳ２２２では、輝度計７０でテレビ３の上端の壁８への投影線から上方に向かって、例えば５０ｃｍの地点までの平均輝度Ｌ２を検出する。
【００７７】
（実施例２４）
１．構成
図２７（ａ）は、実施例２４の照明システム２３１を示す。実施例２４の実施例２２との違いは、間接照明ユニット２の代わりに天井９に設けられたシーリングライトユニット２２を用いている点である。シーリングライトユニット２２は、照明用リモコン２６で、照射の配光領域と光量とを調整可能である。ユーザーが、予め、テレビ３の位置と大きさに応じて、リモコン２６で照射領域を設定しておく。少なくともテレビ３の上端の壁８への投影線から上方に向かって、壁８の１ｍ程度の領域はシーリングライトユニット２２からの光が照射されるようにしておく。つまり、この領域は、シーリングライトユニット２２の配光領域に含んでいる。
【００７８】
２．動作
図２７（ｂ）は、照明システム２３１の動作の流れを表すフローチャートも示す。フローは、実施例２１のステップＳ２０２がステップＳ２３２に置き換わっている点を除いて同一である。ステップＳ２３２では、輝度計７０でテレビ３の上端の壁８への投影線から上方に向かって、例えば５０ｃｍの地点までの平均輝度Ｌ２を検出する。
【００７９】
尚、実施例１６〜２４では、輝度Ｌ３や照度ＬＸは、１つの値だけでなく、Ｎ（２以上の整数）段階（Ｎ階調分）に調節可能であってもよい。これにより、ユーザーが好みの明るさを選択することができる。また、図１２に示すように、輝度や照度をある一定時間（例えばｔ１＝３０ｓｅｃ）かけて増加させて所定の輝度Ｌ３や照度ＬＸに達するようにしてもよい。このように、突然、所定の光を照射するのではなく、徐々に照射すれば、人間の目にも優しい。
【００８０】
（実施例２５）
１．構成
図２８（ａ）は、実施例２５の照明システム２４１を示す。照明システム２４１は、間接照明ユニット２と、輝度計６６と、輝度計６８と、信号線６５と、情報処理部３０４（実施例２５では不図示）を備える。輝度計６６は、テレビ３の前面側に固定され、テレビ３の表示画面３ａの１点の輝度Ｌ１を検出する。輝度計６８は、テレビ３の背面側の輝度Ｌ２を検出する。信号線６５は輝度計６６で測定した輝度情報を、間接照明ユニット２に送る。情報処理部３０４は、輝度Ｌ１と輝度Ｌ２とを比較する。
【００８１】
２．動作
図２８（ｂ）は、照明システム２４１の動作の流れを表すフローチャートも示す。ステップＳ２４１でテレビ３の電源が入ると、ステップＳ２４２でテレビ３の背面側の輝度Ｌ２とテレビ３の表示画面３ａの輝度Ｌ１とを検出する。そして、ステップＳ２４３で、タイマーが作動する（ｔ＝０ｓｅｃ）。その後、ステップＳ２４４でｔ＝１０ｓｅｃにおけるテレビ３の平均輝度または最大輝度Ｌ１を抽出する。ステップＳ２４５で、Ｌ２がＬ１より小さければ、ステップＳ２４６で間接照明ユニット２の電源が入る。そして、ステップＳ２４７で、間接照明ユニット２が、輝度Ｌ１よりも低く、輝度Ｌ２よりも高い輝度Ｌ３の光を４方向にそれぞれ照射する。尚、Ｌ３の値は、ユーザーがマニュアルで変えてもよいし、プリセットしておいてもよい。その後、ステップＳ２４８でｔ＝３０ｍｉｎに達した時、ステップＳ２４２に戻る。ステップＳ２４５でＬ２がＬ１以上の場合は、ステップＳ２４２に戻る。
【００８２】
３．効果
テレビ３の表示画面３ａの輝度と、テレビ３の背面側の輝度との両方を測定しているので、両者の輝度差を把握することができる。よって、より適切な明るさの光を照射することが可能となる。
【００８３】
（実施例２６）
１．構成
図２９（ａ）は、実施例２６の照明システム２５１を示す。構成面において実施例２６が、実施例２５と違う点は、間接照明ユニット２の代わりに、天井９に設けられた可動照明ユニット１２を用いている点である。
【００８４】
２．動作
図２９（ｂ）は、照明システム２５１の動作の流れを表すフローチャートも示す。フローは、実施例２５のステップＳ２４６をステップＳ２５６で置き換え、ステップＳ２４７をステップＳ２５７で置き換えた点を除いて同一である。ステップＳ２５６では、可動照明ユニット１２の電源が入る。ステップＳ２５７では、壁８が、領域Ａの明るさと領域Ｃの明るさの中間の明るさの照度ＬＸとなるような光量で、可動照明ユニット１２から壁８に光を照射する。
【００８５】
（実施例２７）
１．構成
図３０（ａ）は、実施例２７の照明システム２６１を示す。構成面において実施例２７が、実施例２５と違う点は、間接照明ユニット２の代わりに、天井９に設けられたシーリングライトユニット２２を用いている点である。
【００８６】
２．動作
図３０（ｂ）は、照明システム２６１の動作の流れを表すフローチャートも示す。フローは、実施例２５のステップＳ２４６をステップＳ２６６で置き換え、ステップＳ２４７をステップＳ２６７で置き換えた点を除いて同一である。
【００８７】
（実施例２８）
１．構成
図３１（ａ）は、実施例２８の照明システム２７１を示す。照明システム２７１は、間接照明ユニット２と、可動輝度計７１と、情報処理部３０４と、信号線６５を備える。可動輝度計７１は、テレビ３と反対側の壁１０と天井９とが接する部分に設置する。可動輝度計７１は、一定時間間隔（例えば１０ｓｅｃ）でテレビ３の表示画面３ａ上の輝度と、テレビ３の上端の壁８への投影線から上方に向かって、例えば１ｍ程度の地点の輝度とを走査検出する。
【００８８】
２．動作
図３１（ｂ）は、照明システム２７１の動作の流れを表すフローチャートも示す。ステップＳ２７１でテレビ３の電源が入ると、ステップＳ２７２で可動輝度計７１の電源が入る。そして、例えば、１０ｓｅｃ間隔で、ステップＳ２７３でテレビ３の表示画面３ａ上の輝度Ｌ１と、テレビ３の上端の壁８への投影線から上方に向かって、例えば１ｍ程度の地点の輝度Ｌ２とを走査検出する。ステップＳ２７４で情報処理部３０４が、Ｌ１とＬ２の輝度差を比較する。ステップＳ２７５でＬ１とＬ２の輝度差が所定値αより大きければ、ステップＳ２７６で間接照明ユニット２の電源が入る。そして、ステップＳ２７７で、間接照明ユニット２が、４方向に光をそれぞれ照射する。所定値αは、ユーザーが事前に照明システムに入力しておく。例えば、ユーザーが、明暗差が不快と感じ始める明るさの差を所定値αとする。照射する光量は、壁８が、領域Ａの明るさと領域Ｃの明るさの中間の明るさの照度ＬＸとなるようにする。尚、ＬＸの値は、ユーザーがマニュアルで変えてもよいし、プリセットしておいてもよい。その後、ステップＳ２７８でｔ＝３０ｍｉｎに達した時、ステップＳ２７３に戻る。ステップＳ２７５でＬ１とＬ２の輝度差が所定値α以下の場合は、ステップＳ２７３に戻る。
【００８９】
３．効果
可能輝度計７１でテレビ３の表示画面３ａの輝度と、テレビ３の背面側の輝度との両方を測定しているので、両者の輝度差を把握することができる。よって、より適切な明るさの光を照射することが可能となる。さらに、１個の輝度計で済むため、より経済的である。
【００９０】
（実施例２９）
１．構成
図３２（ａ）は、実施例２９の照明システム２８１を示す。構成面において実施例２９が、実施例２８と違う点は、間接照明ユニット２の代わりに、天井９に設けられた可動照明ユニット１２を用いている点である。
【００９１】
２．動作
図３２（ｂ）は、照明システム２８１の動作の流れを表すフローチャートも示す。フローは、実施例２８のステップＳ２７６がステップＳ２８６に置き換わった点を除いて実施例２８と同一である。ステップＳ２８６では、可動照明ユニット１２の電源が入る。
【００９２】
（実施例３０）
１．構成
図３３（ａ）は、実施例３０の照明システム２９１を示す。構成面において実施例３０が、実施例２８と違う点は、間接照明ユニット２の代わりに、天井９に設けられたシーリングライトユニット２２を用いている点である。
【００９３】
２．動作
図３３（ｂ）は、照明システム２９１の動作の流れを表すフローチャートも示す。フローは、実施例２８のステップＳ２７６がステップＳ２９６に置き換わった点を除いて実施例２８と同一である。ステップＳ２９６では、シーリングライトユニット２２の電源が入る。
【００９４】
尚、実施例２５〜３０では、輝度Ｌ３や照度ＬＸは、１つの値だけでなく、Ｎ（２以上の整数）段階（Ｎ階調分）に調節可能であってもよい。これにより、ユーザーが好みの明るさを選択することができる。また、図１２に示すように、輝度や照度をある一定時間（例えばｔ１＝３０ｓｅｃ）かけて増加させて所定の輝度Ｌ３や照度ＬＸに達するようにしてもよい。このように、突然、所定の光を照射するのではなく、徐々に照射すれば、人間の目にも優しい。
【００９５】
（本発明の一態様）
本発明の一態様は、屋内を照明する照明システム１であって、前記屋内に、平面視で互いに隣接する第１領域Ａと第２領域Ｃとを規定する。その場合において、前記第１領域Ａ及び前記第２領域Ｃの明るさに関する情報を取得する情報取得部と、取得した前記明るさに関する情報に基づいて光量制御された光を照射する照明ユニットと、を備える。前記照明ユニットは、前記第１領域Ａの明るさが、前記第２領域Ｃの明るさよりも明るい場合を想定する。その場合において、前記第２領域Ｃにおける前記第１領域Ａとの境界に隣接する境界領域Ｂに対し、前記境界領域Ｂの明るさが、前記第１領域Ａの明るさと、前記第２領域Ｃから前記境界領域Ｂを除いた部分の明るさとの中間の明るさとなる光を照射する。
【００９６】
＜実施の形態２＞
図３４は、実施の形態２に係る照明システムを動作させたときの模式図である。実施の形態２では、屋内で明暗差を発生させる要因は窓７から差し込んでくる外光であるとする。そして、図３４（ａ）に示すように、外光が差し込んでくる床面１３の明るい領域Ａと、その先の暗い領域Ｃとの間に、明るい領域Ａの明るさと暗い領域Ｃの明るさの中間の明るさの境界領域Ｂを発生させる。これにより明暗差が緩和される。明るい領域Ａは、常に一定の場所に発生する場合（図３４（ａ））と、図３４（ａ）から図３４（ｂ）に示すように、時間の経過とともに、屋内の内側に移動してくる場合とがある。図３４（ａ）から図３４（ｂ）のように移動してくる場合は、中間の明るさの境界領域Ｂもそれに追従して移動させる。実施の形態２では、このように外光に起因する明暗差の緩和を実現するための各システムについて説明する。
【００９７】
（実施例３１）
１．構成
図３５（ａ）は、実施例３１の照明システム３０１を示す。照明システム３０１は、可動照明ユニット１１２と、照度計３０２と、信号線６５を備える。可動照明ユニット１１２は、窓７と反対側の壁８と天井９とが接する部分に設置する。可動照明ユニット１１２は、図３６（ａ）のＹ−Ｚ断面図に示すように、ＬＥＤ光源１１２０と、筐体１１２２と、支軸１１２３と、駆動側歯車１１２５ａと、従動側歯車１１２５ｂと、レンズ１１２６と、カバー１１２４とから構成される。駆動側歯車１１２５ａ及び従動側歯車１１２５ｂのそれぞれの軸Ｊ１、Ｊ２は固定されている。カバー１１２４は、透光性である。そして、駆動側歯車１１２５ａが、例えば、ｒ１方向に回転すると、ＬＥＤ光源１１２０の照射方向Ｊは、図３６（ｂ）に示すように、水平方向に近い方向を向く。逆に、駆動側歯車１１２５ａが、例えば、ｒ２方向に回転すると、ＬＥＤ光源１１２０は、図３６（ｃ）に示すように、鉛直方向に近い方向を向く。このようにして、可動照明ユニット１１２の照射方向Ｊと天井とのなす角度θは、０°から９０°まで変えられる。また、図３７は、図３６（ａ）のＨの部分を拡大した断面図を示す。ＬＥＤ光源１１２０は、支軸１１２３上に固定されていて、支軸１１２３は、Ｄ方向に後退することができる。支軸１１２３はエアシリンダーで構成されていて、Ｊ軸方向に前進・後退が可能である。図３７（ｂ）、（ｃ）は、支軸１１２３がＤ方向に後退することにより、ＬＥＤ光源１１２０の配光領域が狭くなっていく様子を示している。図３７（ａ）は、支軸１１２３が最も前進した状態で、配光領域が最も広い場合である。その結果として、図３５（ａ）において、可動照明ユニット１１２で照らされる中間の明るさの境界領域Ｂの幅Δは、一般的な家屋の部屋では、１０ｃｍから２ｍ程度まで変えることができる。また、可動照明ユニットの照射方向Ｊと天井とのなす角度θは、一般的な家屋の部屋では、およそ０°から６０°程度の範囲で使用可能である（図３６（ａ）参照）。実施の形態４でも同様とする。可動照明ユニット１１２は、照明用リモコン１６で、照射方向と、光量と、照射される領域の幅Δを調整可能である。また、実施例３１では、照度計３０２を床面１３の明るい領域Ａの一部に１個、設置しておく。そして、ユーザーが、予め、外光が差し込んでくる床面１３の明るい領域Ａの先端からその先の暗い領域Ｃに向けて可動照明ユニット１１２からの光が照射されるようにしておく。実施例３１では、明るい領域Ａは、常に一定の場所に発生する場合とする。
【００９８】
また、照明システム３０１では、ユーザーが、照明システム３０１の電源を入れる前に、マニュアルで（ダイヤルやボタン等で）床面１３の暗い領域Ｃの明るさをプリセットする。これにより、照明システム３０１は、明るい領域Ａの明るさに関する情報だけでなく、暗い領域Ｃの明るさに関する情報も取得している。実施例３２についても同様とする。
【００９９】
２．動作
図３５（ｂ）は、照明システム３０１の動作の流れを表すフローチャートも示す。ステップＳ３０１で照明システム３０１の電源が入ると、ステップＳ３０２でタイマーが作動する（ｔ＝０ｓｅｃ）。その後、ステップＳ３０３でｔ＝１０ｓｅｃにおける照度計３０２の平均照度または最大照度Ｌを抽出する。ステップＳ３０４で、Ｌのいずれかの照度が、所定値より大きければ、ステップＳ３０５で可動照明ユニット１１２の電源が入る。所定値以下であれば、ステップＳ３０２に戻る。所定値は、ユーザーが事前に照明システムに入力しておく。例えば、ユーザーが、明暗差が不快と感じ始める明るさを所定値とする。ステップＳ３０５の後は、適当な照度ＬＸ（ＬＸ＜Ｌ）になるように可動照明ユニット１１２で床面１３を照射する。この際、可動照明ユニット１１２は、明るい領域Ａとその先の暗い領域Ｃとの境界から、暗い領域Ｃに向けて照射する。尚、ＬＸの値は、ユーザーがマニュアルで変えてもよいし、プリセットしておいてもよい。照明システム３０１は、暗い領域Ｃの明るさに関する情報も取得しているので、ＬＸの値は、暗い領域Ｃの照度よりも高くなるように設定されている。その後、ステップＳ３０７でｔ＝３０ｍｉｎに達した時、ステップＳ３０２に戻る。
【０１００】
３．効果
これにより、床面１３の明るい領域Ａとその先の暗い領域Ｃとの間には、これらの中間の明るさの境界領域Ｂが生ずる。よって、領域Ａと領域Ｃとの間の境界領域での明暗差が緩和される。その結果、例えば、屋内で日中を過ごす場合でも、屋内全体を明るくすることなく、快適に過ごすことができる。また、明るい床面に照度計を設置しているので、邪魔にもならず、床面の明るさを正確に把握することができる。
【０１０１】
４．その他
実施例３２〜３６でも、明るい領域Ａは、常に一定の場所に発生する場合とする。以下、実施の形態２の全般につき、同一構成については、同一の符号を使用し、およそ説明は省略する。また、得られる効果が同様の場合についてもおよそその説明を省略する。
【０１０２】
（実施例３２）
１．構成
図３８（ａ）は、実施例３２の照明システム３１１を示す。構成面において実施例３２が、実施例３１と違う点は、可動照明ユニット１１２の代わりに天井９に設けられたシーリングライトユニット２２を用いている点である。シーリングライトユニット２２は、照明用リモコン２６で、照射する配光領域と光量とを調整可能である。
【０１０３】
２．動作
図３８（ｂ）は、照明システム３１１の動作の流れを表すフローチャートも示す。ステップＳ３１１で照明システム３１１の電源が入ると、ステップＳ３１２でタイマーが作動する（ｔ＝０ｓｅｃ）。その後、ステップＳ３１３でｔ＝１０ｓｅｃにおける照度計３０２の平均照度または最大照度Ｌを抽出する。ステップＳ３１４で、Ｌのいずれかの照度が、所定値より大きければ、ステップＳ３１５でシーリングライトユニット２２の電源が入る。所定値以下であれば、ステップＳ３１２に戻る。ステップＳ３１５の後は、適当な照度ＬＸ（例えばＬＸ＜Ｌ）になるようにシーリングライトユニット２２で床面１３を照射する。実施例３２では、床面１３全体に適当な照度の光を照射する。尚、ＬＸの値は、ユーザーがマニュアルで変えてもよいし、プリセットしておいてもよい。照明システム３１１は、暗い領域Ｃの明るさに関する情報も取得しているので、ＬＸの値は、暗い領域Ｃの照度よりも高くなるように設定されている。
【０１０４】
３．効果
床面１３全体に適当な照度の光を照射することで、明るい領域Ａとその先の暗い領域Ｃとの境界にも適当な照度の光が照射され、両者の境界が全体的に見えにくくすることができる。
【０１０５】
（実施例３３）
１．構成
図３９（ａ）は、実施例３３の照明システム３２１を示す。構成面において実施例３３が、実施例３１と違う点は、実施例３３では床面１３の暗い領域Ｃにも照度計３０３を設置している点である。そして、照度計３０２と照度計３０３の照度値を比較する情報処理部３０４も備える。そして、それらの照度値の情報処理結果を可動照明ユニット１１２に伝える信号線６５も備える。
【０１０６】
２．動作
図３９（ｂ）は、照明システム３２１の動作の流れを表すフローチャートも示す。ステップＳ３２１で照明システム３２１の電源が入ると、ステップＳ３２２でタイマーが作動する（ｔ＝０ｓｅｃ）。その後、ステップＳ３２３でｔ＝１０ｓｅｃにおける照度計３０２の平均照度または最大照度Ｌ１と照度計３０３の平均照度または最大照度Ｌ２とを抽出する。ステップＳ３２４で、Ｌ２がＬ１より小さければ、ステップＳ３２５で可動照明ユニット１１２の電源が入る。Ｌ２がＬ１以上であれば、ステップＳ３２２に戻る。そして、ステップＳ３２６で、床面１３が適当な照度ＬＸ（Ｌ２＜ＬＸ＜Ｌ１）になるような光量の光を、可動照明ユニット１１２が照射する。この際、可動照明ユニット１１２は、明るい領域Ａとその先の暗い領域Ｃとの境界から、暗い領域Ｃに向けて照射する。尚、ＬＸの値は、ユーザーがマニュアルで変えてもよいし、プリセットしておいてもよい。その後、ステップＳ３２７でｔ＝３０ｍｉｎに達した時、ステップＳ３２２に戻る。
【０１０７】
３．効果
明るい床面だけでなく、暗い床面にも照度計を設置しているので、両者の照度差を正確に把握することができる。よって、より適切な明るさの光を照射することが可能となる。
【０１０８】
（実施例３４）
１．構成
図４０（ａ）は、実施例３４の照明システム３３１を示す。構成面において実施例３４が、実施例３２と違う点は、実施例３４では床面１３の暗い領域Ｃにも照度計３０３を設置している点である。そして、照度計３０２と照度計３０３の照度値を比較する情報処理部３０４も備える。そして、それらの照度値の情報処理結果をシーリングライトユニット２２に伝える信号線６５も備える。
【０１０９】
２．動作
図４０（ｂ）は、照明システム３３１の動作の流れを表すフローチャートも示す。実施例３３のフローチャートにおけるステップＳ３２５をステップＳ３３５で置き換えた点を除き、実施例３３と同一である。ステップＳ３３５では、シーリングライトユニット２２の電源が入る。
【０１１０】
（実施例３５）
１．構成
図４１（ａ）は、実施例３５の照明システム３４１を示す。照明システム３４１は、可動照明ユニット１１２と、可動輝度計７１と、情報処理部３０４と、信号線６５を備える。可動照明ユニット１１２は、窓７と反対側の壁８と天井９とが接する部分に設置する。可動輝度計７１は、壁１０と天井９とが接する部分に設置する。可動輝度計７１は、一定時間間隔（例えば１０ｓｅｃ）で床面１３の明るい領域Ｐ１の輝度と、暗い領域Ｐ２の輝度とを走査検出する。可動照明ユニット１１２は、照明用リモコン１６で、照射方向と光量と、照射される領域の幅を調整可能である。ユーザーが、予め、外光が差し込んでくる床面１３の明るい領域Ａの先端からその先の暗い領域Ｃに向けて可動照明ユニット１１２からの光が照射されるようにしておく。
【０１１１】
２．動作
図４１（ｂ）は、照明システム３４１の動作の流れを表すフローチャートも示す。ステップＳ３４１で照明システム３４１の電源が入ると、ステップＳ３４２で可動輝度計７１の電源が入る。そして、ステップＳ３４３では１０ｓｅｃ間隔で領域Ｐ１の輝度と、領域Ｐ２の輝度とを走査検出する。ステップＳ３４４でタイマーが作動する（ｔ＝０ｓｅｃ）。その後、ステップＳ３４５でｔ＝１０ｓｅｃにおける領域Ｐ１の平均輝度または最大輝度Ｌ１と領域Ｐ２の平均輝度または最大輝度Ｌ２とを抽出する。ステップＳ３４６で、Ｌ１とＬ２の差が所定値より大きければ（例えば、Ｌ１−Ｌ２＞α）、ステップＳ３４７で、可動照明ユニット１１２の電源が入る。所定値より小さければ、ステップＳ３４３に戻る。所定値αは、ユーザーが事前に照明システムに入力しておく。例えば、ユーザーが、明暗差が不快と感じ始める明るさの差を所定値αとする。ステップＳ３４７の後は、ステップＳ３４８で、可動照明ユニット１１２が、適当な照度ＬＸで床面１３を照射する。この際、可動照明ユニット１１２は、明るい領域Ａとその先の暗い領域Ｃとの境界から、暗い領域Ｃに向けて照射する。尚、ＬＸの値は、ユーザーがマニュアルで変えてもよいし、プリセットしておいてもよい。その後、ステップＳ３４９でｔ＝３０ｍｉｎに達した時、ステップＳ３４３に戻る。
【０１１２】
（実施例３６）
１．構成
図４２（ａ）は、実施例３６の照明システム３５１を示す。構成面において実施例３６が、実施例３５と違う点は、可動照明ユニット１１２の代わりに天井９に設けられたシーリングライトユニット２２を用いている点である。シーリングライトユニット２２は、照明用リモコン２６で、照射する配光領域と光量とを調整可能である。
【０１１３】
２．動作
図４２（ｂ）は、照明システム３５１の動作の流れを表すフローチャートも示す。実施例３５のフローチャートにおけるステップＳ３４７をステップＳ３５７で置き換えた点を除き、実施例３５と同一である。ステップＳ３５７では、シーリングライトユニット２２の電源が入る。
【０１１４】
尚、実施例３１〜３６では、照度ＬＸは、１つの値だけでなく、Ｎ（２以上の整数）段階（Ｎ階調分）に調節可能であってもよい。これにより、ユーザーが好みの明るさを選択することができる。また、図１２に示すように、照度をある一定時間（例えばｔ１＝３０ｓｅｃ）かけて増加させて所定の照度ＬＸに達するようにしてもよい。このように、突然、所定の光を照射するのではなく、徐々に照射すれば、人間の目にも優しい。
【０１１５】
また、照明システムに、床面１３に明暗差が発生する時刻を登録しておき、その時刻になった時に自動的に照明システムが起動するようにしてもよい。さらに、照明システムに、学習機能を付加しておいてもよい。そして、頻繁に照明システムが起動する時刻間近になった時に自動的に照明システムが起動するようにしてもよい。このように、時刻登録機能や学習機能を付加しておくことで、人間が照明システムの電源を入れる必要がなくなる。
【０１１６】
（実施例３７）
１．構成
図４３（ａ）は、実施例３７の照明システム３６１を示す。照明システム３６１は、可動照明ユニット１１２と、照度計Ｌ１〜ＬＮと、情報処理部３０４と、信号線６５を備える。可動照明ユニット１１２は、窓７と反対側の壁８と天井９とが接する部分に設置する。照度計Ｌ１〜ＬＮは、床面１３に明るい領域Ａから暗い領域Ｃに渡るように設置する。情報処理部３０４は、Ｎ個の照度計の照度とその位置を検出する。信号線６５は、照度と位置の情報を可動照明ユニット１１２に伝える。実施例３７では、明るい領域Ａは、時間の経過とともに移動する場合とする。
【０１１７】
２．動作
図４３（ｂ）は、照明システム３６１の動作の流れを表すフローチャートも示す。ステップＳ３６１で照明システム３６１の電源が入る。そして、ステップＳ３６２でタイマーが作動する（ｔ＝０ｓｅｃ）。その後、ステップＳ３６３でｔ＝１０ｓｅｃにおいて、Ｎ個の照度計のうち、平均照度または最大照度が最も大きく変化している２つの照度計の照度Ｌａ、Ｌｂとそれらの位置Ｐａ、Ｐｂを検出する。ステップＳ３６４で、ＬａがＬｂより大きければ、ステップＳ３６５で、可動照明ユニット１１２の電源が入る。ＬｂがＬａ以上であれば、ステップＳ３６２に戻る。ステップＳ３６５の後は、ステップＳ３６６で、適当な照度ＬＸ（Ｌｂ＜ＬＸ＜Ｌａ）になるように可動照明ユニット１１２で床面１３を照射する。この際、可動照明ユニット１１２は、明るい側である位置Ｐａとその先の暗い側である位置Ｐｂとの境界から、暗い領域Ｃに向けて照射する。尚、ＬＸの値は、ユーザーがマニュアルで変えてもよいし、プリセットしておいてもよい。その後、ステップＳ３６７でｔ＝３０ｍｉｎに達した時、ステップＳ３６２に戻る。
【０１１８】
３．効果
実施例３７のように、床面１３に予めＮ個の照度計を設置しておけば、明るい領域Ａが時間とともに移動してきても、それに追従して、明るい領域Ａとその先の暗い領域Ｃとの境界を検出することが可能になる。よって、照射領域もそれに追従させることができる。
【０１１９】
４．その他
実施例３８〜４０でも、明るい領域Ａは、時間の経過とともに移動する場合とする。
【０１２０】
（実施例３８）
１．構成
図４４（ａ）は、実施例３８の照明システム３７１を示す。構成面において実施例３８が、実施例３７と違う点は、可動照明ユニット１１２の代わりに天井９に設けられたシーリングライトユニット２２を用いている点である。
【０１２１】
２．動作
図４４（ｂ）は、照明システム３７１の動作の流れを表すフローチャートも示す。実施例３７のフローチャートにおける、ステップＳ３６５をステップＳ３７５で置き換え、ステップＳ３６６をステップＳ３７６で置き換えた点を除き、実施例３７と同一である。ステップＳ３７５では、シーリングライトユニット２２の電源が入る。また、ステップＳ３７６では、適当な照度ＬＸで床面１３全体を照射する。
【０１２２】
（実施例３９）
１．構成
図４５（ａ）は、実施例３９の照明システム３８１を示す。照明システム３８１は、可動照明ユニット１１２と、可動輝度計７１と、情報処理部３０４と、信号線６５を備える。可動照明ユニット１１２は、窓７と反対側の壁８と天井９とが接する部分に設置する。可動輝度計７１は、壁１０と天井９とが接する部分に設置する。可動輝度計７１は、一定時間間隔（例えば１０ｓｅｃ）で床面１３の一端Ｐ１の輝度と、他端Ｐ２の輝度とを走査検出する。情報処理部３０４は、可動輝度計７１で床面１３を走査しながら得られた各地点の輝度と位置の情報を処理する。信号線６５は、輝度と位置の情報を可動照明ユニット１１２に伝える。
【０１２３】
２．動作
図４５（ｂ）は、照明システム３８１の動作の流れを表すフローチャートも示す。ステップＳ３８１で照明システム３８１の電源が入ると、ステップＳ３８２で可動輝度計７１の電源が入る。そして、ステップＳ３８３でタイマーが作動する（ｔ＝０ｓｅｃ）。ステップＳ３８４では１０ｓｅｃ間隔で床面１３の一端Ｐ１の輝度と、他端Ｐ２の輝度とを走査検出する。その後、ステップＳ３８５でｔ＝６０ｓｅｃにおいて、輝度が最も大きく変化している２つの地点の位置Ｐａ、Ｐｂと当該２つの地点の平均輝度Ｌａ、Ｌｂを検出する。そして、ステップＳ３８６で、ＬａとＬｂの差が所定値より大きければ（例えば、Ｌａ−Ｌｂ＞α）、ステップＳ３８７で、可動照明ユニット１１２の電源が入る。所定値より小さければ、ステップＳ３８３に戻る。所定値αは、ユーザーが事前に照明システムに入力しておく。例えば、ユーザーが、明暗差が不快と感じ始める明るさの差を所定値αとする。ステップＳ３８７の後は、ステップＳ３８８で、位置ＰａとＰｂとの間を境界として、その境界から暗い側を適当な照度ＬＸになるように照射する。尚、ＬＸの値は、ユーザーがマニュアルで変えてもよいし、プリセットしておいてもよい。その後、ステップＳ３８９でｔ＝３０ｍｉｎに達した時、ステップＳ３８３に戻る。
【０１２４】
３．効果
実施例３９のように、床面１３の一端Ｐ１から他端Ｐ２の輝度を走査検出するようにすれば、明るい領域Ａが時間とともに移動してきても、それに追従して、明るい領域Ａとその先の暗い領域Ｃとの境界を検出することが可能になる。さらに、１個の可動輝度計７１で済むため、より経済的である。
【０１２５】
（実施例４０）
１．構成
図４６（ａ）は、実施例４０の照明システム３９１を示す。構成面において実施例４０が、実施例３９と違う点は、可動照明ユニット１１２の代わりに天井９に設けられたシーリングライトユニット２２を用いている点である。
【０１２６】
２．動作
図４６（ｂ）は、照明システム３９１の動作の流れを表すフローチャートも示す。実施例３９のフローチャートにおける、ステップＳ３８７をステップＳ３９７で置き換え、ステップＳ３８８をステップＳ３９８で置き換えた点を除き、実施例３９と同一である。ステップＳ３９７では、シーリングライトユニット２２の電源が入る。また、ステップＳ３９８では、適当な照度ＬＸで床面１３全体を照射する。
【０１２７】
尚、実施例３７〜４０では、照度ＬＸは、１つの値だけでなく、Ｎ（２以上の整数）段階（Ｎ階調分）に調節可能であってもよい。これにより、ユーザーが好みの明るさを選択することができる。また、図１２に示すように、照度をある一定時間（例えばｔ１＝３０ｓｅｃ）かけて増加させて所定の照度ＬＸに達するようにしてもよい。このように、突然、所定の光を照射するのではなく、徐々に照射すれば、人間の目にも優しい。
【０１２８】
また、照明システムに、床面１３に明暗差が発生する時刻を登録しておき、その時刻になった時に自動的に照明システムが起動するようにしてもよい。さらに、照明システムに、学習機能を付加しておいてもよい。そして、頻繁に照明システムが起動する時刻間近になった時に自動的に照明システムが起動するようにしてもよい。このように、時刻登録機能や学習機能を付加しておくことで、人間が照明システムの電源を入れる必要がなくなる。
【０１２９】
＜実施の形態３＞
図４７〜４９は、実施の形態３に係る照明システムを動作させたときの模式図である。実施の形態３では、屋内で明暗差を発生させる要因として、テレビ３と、窓７から差し込んでくる外光との両方があるとする。実施の形態３では、両者の明暗差を比較して、どちらか一方を優先して光を照射する。
【０１３０】
（実施例４１）
１．構成
図４７（ａ）は、実施例４１の照明システム４０１を示す。照明システム４０１は、可動照明ユニット１２と、可動輝度計７２と、情報処理部３０４と、信号線６５を備える。可動照明ユニット１２は、天井９に設置する。可動輝度計７２は、壁１０と天井９とが接する部分に設置する。可動輝度計７２は、２つの可動輝度計７２ａと可動輝度計７２ｂとを有する。可動輝度計７２ａは、一定時間間隔（例えば１０ｓｅｃ）でテレビ３の表示画面３ａの輝度Ｌ１とテレビ３の背面上方の壁の輝度Ｌ２とを走査しながら検出する。また、可動輝度計７２ｂは、一定時間間隔（例えば１０ｓｅｃ）で床面１３の明るい領域の輝度Ｌ３と暗い領域の輝度Ｌ４とを走査しながら検出する。情報処理部３０４は、検出された輝度情報を処理する。この際、可動輝度計７２ａによる輝度差の値と、可動輝度計７２ｂによる輝度差の値とを比較し、可動照明ユニット１２でテレビ３の上方に向けて光を照射するのか、床面１３の明暗の境界に向けて光を照射するのかを決定する。基本的に、輝度差の大きい方を照射するものとする。但し、テレビ３側を優先的に照射するように、テレビ３側の輝度差に予め重み付けをしておいてもよい。信号線６５は、処理結果を可動照明ユニット１２に送る。実施例４１は、テレビ３側に光を照射する場合である。
【０１３１】
２．動作
図４７（ｂ）は、照明システム４０１の動作の流れを表すフローチャートを示す。ステップＳ４０１で照明システム４０１の電源が入ると、ステップＳ４０２で可動輝度計７２の電源が入る。そして、ステップＳ４０３でタイマーが作動する（ｔ＝０ｓｅｃ）。そして、ステップＳ４０４で、可動輝度計７２ａが、ｔ＝１０ｓｅｃにおけるテレビ３の表示画面３ａの輝度Ｌ１とテレビ３の背面上方の壁の輝度Ｌ２とを検出する。また、可動輝度計７２ｂが、ｔ＝１０ｓｅｃにおける床面１３の明るい領域の輝度Ｌ３と暗い領域の輝度Ｌ４とを検出する。ステップＳ４０５では、（Ｌ１−Ｌ２）と（Ｌ３−Ｌ４）との値を比較する。実施例４１ではテレビ３側を照射する場合であるので、（Ｌ１−Ｌ２）≧（Ｌ３−Ｌ４）であった場合である。次に、ステップＳ４０９で、Ｌ２がＬ１より小さければ、ステップＳ４１０で、可動照明ユニット１２が、テレビ３の上方の壁に向けて光を照射する。このときの光の光量は、壁８が、領域Ａの明るさと領域Ｃの明るさの中間の明るさの照度ＬＸ２となるような光量にする。ステップＳ４０９で、Ｌ２がＬ１以上であれば、ステップＳ４０３に戻る。そして、ステップ４１１でｔ＝３０ｍｉｎに達すると、ステップＳ４０３に戻る。尚、ＬＸ２の値は、ユーザーがマニュアルで変えてもよいし、プリセットしておいてもよい。
【０１３２】
（実施例４２）
１．構成
図４８は、実施例４２の照明システム４１１を示す。照明システム４１１は、実施例４１の照明システム４０１と同一である。但し、実施例４２は、床面１３側に光を照射する場合である。
【０１３３】
２．動作
図４７（ｂ）は、照明システム４１１の動作の流れを表すフローチャートも示している。ステップＳ４０５までは、実施例４１と同一である。しかし、実施例４２では、床面１３側を照射する場合であるので、ステップＳ４０５で（Ｌ１−Ｌ２）＜（Ｌ３−Ｌ４）であった場合である。次に、ステップＳ４０６で、Ｌ４がＬ３より小さければ、ステップＳ４０７で、可動照明ユニット１２が、床面１３に向けて光を照射する。このときの光の光量は、床面１３が、領域Ａの明るさと領域Ｃの明るさの中間の明るさの照度ＬＸ１となるような光量にする。ステップＳ４０６で、Ｌ４がＬ３以上であれば、ステップＳ４０３に戻る。そして、ステップ４０８でｔ＝３０ｍｉｎに達すると、ステップＳ４０３に戻る。尚、ＬＸ１の値は、ユーザーがマニュアルで変えてもよいし、プリセットしておいてもよい。
【０１３４】
３．効果
可動照明ユニット１２と可動輝度計７２を併用することで、屋内にテレビ３による明暗差と、窓７から差し込んでくる外光による明暗差との両方がある場合でも、選択的ではあるが、より明暗差のある方の緩和は可能となる。
【０１３５】
（実施例４３）
１．構成
図４９（ａ）は、実施例４３の照明システム４２１を示す。構成面において実施例４３が、実施例４１と違う点は、可動照明ユニット１２の代わりに天井９に設けられたシーリングライトユニット２２を用いている点である。
【０１３６】
２．動作
図４９（ｂ）は、照明システム４２１の動作の流れを表すフローチャートも示す。実施例４１のフローチャートにおけるステップＳ４１０をステップＳ４３１及びＳ４３２で置き換え、実施例４２のフローチャートにおけるステップＳ４０７をステップＳ４２７及びＳ４２８で置き換えた点を除き、実施例４１及び実施例４２と同一である。ステップＳ４２７またはＳ４３１では、シーリングライトユニット２２の電源が入る。但し、ステップＳ４２８またはＳ４３２では、シーリングライトユニット２２が、床面１３に向けて光を照射する。このときの光の光量は、ステップＳ４３２では、壁８が、領域Ａの明るさと領域Ｃの明るさの中間の明るさの照度ＬＸ２となるような光量にする。ステップＳ４２８では、床面１３全体が、領域Ａの明るさと領域Ｃの明るさの中間の明るさの照度ＬＸ１となるような光量にする。そして、ステップＳ４２９またはＳ４３３でｔ＝３０ｍｉｎに達すると、ステップＳ４２３に戻る。
【０１３７】
３．効果
シーリングライトユニット２２を用いているので、明暗差の緩和だけでなく、通常の照明用途としても使用することができる。
【０１３８】
尚、実施例４１〜４３では、照度ＬＸ１及びＬＸ２は、１つの値だけでなく、Ｎ（２以上の整数）段階（Ｎ階調分）に調節可能であってもよい。これにより、ユーザーが好みの明るさを選択することができる。また、図１２に示すように、照度をある一定時間（例えばｔ１＝３０ｓｅｃ）かけて増加させて所定の照度ＬＸ１及びＬＸ２に達するようにしてもよい。このように、突然、所定の光を照射するのではなく、徐々に照射すれば、人間の目にも優しい。
【０１３９】
また、照明システムに、床面１３に明暗差が発生する時刻を登録しておき、その時刻になった時に自動的に照明システムが起動するようにしてもよい。さらに、照明システムに、学習機能を付加しておいてもよい。そして、頻繁に照明システムが起動する時刻間近になった時に自動的に照明システムが起動するようにしてもよい。このように、時刻登録機能や学習機能を付加しておくことで、人間が照明システムの電源を入れる必要がなくなる。
【０１４０】
＜実施の形態４＞
図５０は、実施の形態４に係る照明システムを動作させたときの模式図である。実施の形態４では、屋内で明暗差を発生させる要因は日が入ってくる窓７であるとする。そして、図５０に示すように、窓７の明るい領域Ａと、その上の壁１０の暗い領域Ｃとの間に、明るい領域Ａの明るさと暗い領域Ｃの明るさの中間の明るさの境界領域Ｂを発生させる。実施の形態４では、このように窓７に起因する明暗差の緩和を実現するための各システムについて説明する。
【０１４１】
（実施例４４）
１．構成
図５１（ａ）は、実施例４４の照明システム４３１を示す。照明システム４３１は、可動照明ユニット１１２と、可動輝度計７１と、情報処理部３０４と、信号線６５を備える。可動照明ユニット１１２は、窓７と反対側の壁８と天井９とが接する部分に設置する。可動輝度計７１は、天井９に設置する。可動輝度計７１は、一定時間間隔（例えば１０ｓｅｃ）で窓７の明るい領域Ｐ１の輝度と、壁１０の暗い領域Ｐ２の輝度とを走査検出する。可動照明ユニット１１２は、照明用リモコン１６で、照射方向と光量と、照射される領域の幅を調整可能である。ユーザーが、予め、窓７の明るい領域Ａの上端からその上の壁１０の暗い領域Ｃに向けて可動照明ユニット１１２からの光が照射されるようにしておく。
【０１４２】
２．動作
図５１（ｂ）は、照明システム４３１の動作の流れを表すフローチャートも示す。ステップＳ４３１で照明システム４３１の電源が入ると、ステップＳ４３２で可動輝度計７１の電源が入る。そして、ステップＳ４３３では１０ｓｅｃ間隔で領域Ｐ１の輝度と、領域Ｐ２の輝度とを走査検出する。ステップＳ４３４でタイマーが作動する（ｔ＝０ｓｅｃ）。その後、ステップＳ４３５でｔ＝１０ｓｅｃにおける領域Ｐ１の平均輝度または最大輝度Ｌ１と領域Ｐ２の平均輝度または最大輝度Ｌ２とを抽出する。ステップＳ４３６で、Ｌ１とＬ２の差が所定値より大きければ（例えば、Ｌ１−Ｌ２＞α）、ステップＳ４３７で、可動照明ユニット１１２の電源が入る。所定値より小さければ、ステップＳ４３３に戻る。所定値αは、ユーザーが事前に照明システムに入力しておく。例えば、ユーザーが、明暗差が不快と感じ始める明るさの差を所定値αとする。ステップＳ４３７の後は、ステップＳ４３８で、可動照明ユニット１１２が、適当な照度ＬＸで壁１０を照射する。この際、可動照明ユニット１１２は、明るい領域Ａとその先の暗い領域Ｃとの境界から、暗い領域Ｃに向けて照射する。尚、ＬＸの値は、ユーザーがマニュアルで変えてもよいし、プリセットしておいてもよい。その後、ステップＳ４３９でｔ＝３０ｍｉｎに達した時、ステップＳ４３３に戻る。
【０１４３】
（実施例４５）
１．構成
図５２（ａ）は、実施例４５の照明システム４４１を示す。構成面において実施例４５が、実施例４４と違う点は、可動照明ユニット１１２の代わりに天井９に設けられたシーリングライトユニット２２を用いている点である。シーリングライトユニット２２は、照明用リモコン２６で、照射する配光領域と光量とを調整可能である。
【０１４４】
２．動作
図５２（ｂ）は、照明システム４４１の動作の流れを表すフローチャートを示す。実施例４５のフローチャートにおけるステップＳ４３７をステップＳ４４７で置き換えた点を除き、実施例４４と同一である。ステップＳ４４７では、シーリングライトユニット２２の電源が入る。
【０１４５】
尚、実施例４４及び４５では、照度ＬＸは、１つの値だけでなく、Ｎ（２以上の整数）段階（Ｎ階調分）に調節可能であってもよい。これにより、ユーザーが好みの明るさを選択することができる。また、図１２に示すように、照度をある一定時間（例えばｔ１＝３０ｓｅｃ）かけて増加させて所定の照度ＬＸに達するようにしてもよい。このように、突然、所定の光を照射するのではなく、徐々に照射すれば、人間の目にも優しい。
【０１４６】
また、照明システムに、窓７と壁１０との間に明暗差が発生する時刻を登録しておき、その時刻になった時に自動的に照明システムが起動するようにしてもよい。さらに、照明システムに、学習機能を付加しておいてもよい。そして、頻繁に照明システムが起動する時刻間近になった時に自動的に照明システムが起動するようにしてもよい。このように、時刻登録機能や学習機能を付加しておくことで、人間が照明システムの電源を入れる必要がなくなる。
【０１４７】
＜その他の事項＞
（１）本明細書中で明るい領域Ａの明るさと暗い領域Ｃの明るさの中間の明るさという場合、「中間の明るさ」とは、明るい領域Ａの明るさと暗い領域Ｃの明るさの丁度、真ん中の明るさのみに限定されるものではない。明るい領域Ａの明るさと暗い領域Ｃの明るさの間の明るさであれば、任意の明るさを意味するものとする。
（２）実施の形態１では、すべて、テレビ３の電源が入ると照明システムの動作が開始することとしていたが、これに限られるものではない。人間が、直接、照明システムの電源を入れてもよい。
（３）照明システム１及び照明システム３０１では、ユーザーが行うプリセット部が、暗い領域Ｃの明るさに関する情報を取得する情報取得部を構成している。
（４）実施の形態１〜４に記載の輝度計や照度計は、明るさを直接、測定するものであるから、当然に、明るさに関する情報を取得する情報取得部を構成している。
【０１４８】
（５）実施の形態１〜４に記載のフローチャートでは、「照明システムの電源を切る（OFF）」というステップは記載されていない。しかしながら、テレビの電源を切る、もしくは、照明システムのスイッチを切るという動作をすれば、当然に、照明システムの電源は切れるものとする。
（６）実施の形態３では、可動輝度計７２は、２つの可動輝度計を有する構成としたが、これに限られるものではない。１個の輝度計で、テレビ側と床面側の輝度差をそれぞれ走査しながら検知してもよい。
（７）実施の形態１〜４では、光源としてＬＥＤを用いたが、これに限定されるものではない。例えば、ＬＤ（レーザーダイオード）やＥＬ素子（エレクトロルミネッセンス素子）等であってもよい。
【０１４９】
（８）実施の形態１〜４では、屋内の明暗差を発生させる要因として、テレビと窓から差し込んでくる外光、及び、窓としたが、これらに限定されるものではない。卓上の電気スタンド、パソコンモニター、劇場や体育館におけるスポットライト、映画館におけるスクリーン、駅や地下街におけるデジタルサイネージディスプレイ等であってもよい。
（９）本発明に係る照明システムは、実施の形態１〜４の部分的な構成を、適宜組み合わせてなる構成であってもよい。また、実施の形態１〜４に記載した条件、数値等は好ましいものを例示しているだけであり、それに限定されることはない。さらに、本発明の技術的思想の範囲を逸脱しない範囲で、構成に適宜変更を加えることは可能である。本発明は、照明システム全般に広く利用可能である。
【符号の説明】
【０１５０】
１、１１、２１、３１、４１、５１、６１、７１、８１、９１、１０１、１１１、１２１、１３１、１４１、１５１、１６１、１７１、１８１、１９１、２０１、２１１、２２１、２３１、２４１、２５１、２６１、２７１、２８１、２９１、３０１、３１１、３２１、３３１、３４１、３５１、３６１、３７１、３８１、３９１、４０１、４１１、４２１、４３１、４４１．照明システム
２．間接照明ユニット
３．テレビ
３ａ．表示画面
４．電源線
５．電流検出部
６、３５、６５．信号線
７．窓
８、１０．壁
９．天井
１２、１１２．可動照明ユニット
１３．床面
２２．シーリングライトユニット
３５ａ．信号検出部
Ａ．第１領域
Ｂ．境界領域
Ｃ．第２領域
【図１】
2015138759.tif 000003
【図２】
2015138759.tif 000004
【図３】
2015138759.tif 000005
【図４】
2015138759.tif 000006
【図５】
2015138759.tif 000007
【図６】
2015138759.tif 000008
【図７】
2015138759.tif 000009
【図８】
2015138759.tif 000010
【図９】
2015138759.tif 000011
【図１０】
2015138759.tif 000012
【図１１】
2015138759.tif 000013
【図１２】
2015138759.tif 000014
【図１３】
2015138759.tif 000015
【図１４】
2015138759.tif 000016
【図１５】
2015138759.tif 000017
【図１６】
2015138759.tif 000018
【図１７】
2015138759.tif 000019
【図１８】
2015138759.tif 000020
【図１９】
2015138759.tif 000021
【図２０】
2015138759.tif 000022
【図２１】
2015138759.tif 000023
【図２２】
2015138759.tif 000024
【図２３】
2015138759.tif 000025
【図２４】
2015138759.tif 000026
【図２５】
2015138759.tif 000027
【図２６】
2015138759.tif 000028
【図２７】
2015138759.tif 000029
【図２８】
2015138759.tif 000030
【図２９】
2015138759.tif 000031
【図３０】
2015138759.tif 000032
【図３１】
2015138759.tif 000033
【図３２】
2015138759.tif 000034
【図３３】
2015138759.tif 000035
【図３４】
2015138759.tif 000036
【図３５】
2015138759.tif 000037
【図３６】
2015138759.tif 000038
【図３７】
2015138759.tif 000039
【図３８】
2015138759.tif 000040
【図３９】
2015138759.tif 000041
【図４０】
2015138759.tif 000042
【図４１】
2015138759.tif 000043
【図４２】
2015138759.tif 000044
【図４３】
2015138759.tif 000045
【図４４】
2015138759.tif 000046
【図４５】
2015138759.tif 000047
【図４６】
2015138759.tif 000048
【図４７】
2015138759.tif 000049
【図４８】
2015138759.tif 000050
【図４９】
2015138759.tif 000051
【図５０】
2015138759.tif 000052
【図５１】
2015138759.tif 000053
【図５２】
2015138759.tif 000054
【図５３】
2015138759.tif 000055
【図５４】
2015138759.tif 000056